(57)【要約】【課題】多くの人や車両が行き交う交差点で事件等が発生した場合に、逃走車両等の視覚的な特徴ならびに逃走方向の早期把握を効率的に支援し、警察等の捜査の利便性を的確に向上する。【解決手段】車両等検知システムは、交差点に設置されたカメラと通信可能に接続されたサーバと、サーバと通信可能に接続されたクライアント端末とを含む。クライアント端末は、事件等が発生した日時および地点と事件等を引き起こした車両の特徴とを含む情報の入力に応じて、日時に地点の交差点を通過した車両の情報取得要求をサーバに送る。サーバは、地点の交差点を通過した車両の車両情報および通過方向を対応付けて抽出し、抽出結果をクライアント端末に送る。クライアント端末は、地点の交差点を通過した車両の視覚特徴と通過方向とを対応付けて表示デバイスに表示する。【選択図】図１７
2020028017.tif 000002
【特許請求の範囲】
【請求項１】
交差点に設置されたカメラと通信可能に接続されたサーバと、前記サーバと通信可能に接続されたクライアント端末と、を含み、
前記クライアント端末は、
事件等が発生した日時および地点と前記事件等を引き起こした車両の特徴とを含む情報の入力に応じて、前記日時に前記地点の交差点を通過した車両の情報取得要求を前記サーバに送り、
前記サーバは、
前記情報取得要求に基づいて、前記日時における前記地点の交差点に対応するカメラの撮像映像を用いて、前記地点の交差点を通過した車両の車両情報および通過方向を対応付けて抽出し、その抽出結果を前記クライアント端末に送り、
前記クライアント端末は、
前記抽出結果を用いて、前記地点の交差点を通過した車両の視覚特徴とその車両の通過方向とを対応付けて表示デバイスに表示する、
車両等検知システム。
【請求項２】
前記クライアント端末は、
前記車両の視覚情報として、前記車両の外観を示す静止画を表示する、
請求項１に記載の車両等検知システム。
【請求項３】
前記クライアント端末は、
前記カメラが設置された交差点の位置を示す道路地図の情報を保持し、前記地点の交差点を含む所定範囲の前記道路地図に前記通過方向を重畳して表示する、
請求項１に記載の車両等検知システム。
【請求項４】
前記クライアント端末は、
前記地点の交差点の通過方向を含む前記情報に基づいて、前記情報取得要求を作成する、
請求項１に記載の車両等検知システム。
【請求項５】
前記クライアント端末は、
前記表示デバイスに表示された前記車両の視覚情報へのユーザ操作に応じて、前記事件等の被疑者が乗車している車両の候補マークをその車両近傍に表示する、
請求項１に記載の車両等検知システム。
【請求項６】
前記クライアント端末は、
前記候補マークへのユーザ操作に応じて、前記被疑者である可能性を示す候補マークの種別を切り替えて表示する、
請求項５に記載の車両等検知システム。
【請求項７】
前記クライアント端末は、
前記表示デバイスに表示された前記車両の視覚情報へのユーザ操作に応じて、その車両を撮像したカメラの撮像映像の再生を指示可能な再生アイコンを、前記車両の視覚情報に重畳して表示する、
請求項１に記載の車両等検知システム。
【請求項８】
前記クライアント端末は、
前記表示デバイスに表示された前記車両の視覚情報へのユーザ操作に応じて、その車両の視覚特徴とその車両の通過方向との表示を非表示する、
請求項１に記載の車両等検知システム。
【請求項９】
前記クライアント端末は、
前記地点の交差点を通過した車両の視覚特徴とその車両の通過方向と、入力された前記情報とを対応付けて前記表示デバイスに表示する、
請求項１に記載の車両等検知システム。
【請求項１０】
前記クライアント端末は、
前記車両の視覚情報として、前記地点の交差点に設置されたカメラの撮像映像の再生画面を含む映像再生ダイアログを前記表示デバイスに表示する、
請求項１に記載の車両等検知システム。
【請求項１１】
前記クライアント端末は、
前記カメラが設置された交差点の位置を示す道路地図の情報を保持し、前記地点の交差点を含む所定範囲の前記道路地図に前記通過方向を重畳して表示した画面を前記映像再生ダイアログに含めて表示する、
請求項１０に記載の車両等検知システム。
【請求項１２】
前記クライアント端末は、
前記車両が前記交差点に進入してから退出するまでの所定期間分の映像を前記再生画面において表示再生する、
請求項１０に記載の車両等検知システム。
【請求項１３】
前記クライアント端末は、
前記道路地図へのユーザ操作に応じて、前記カメラの撮像画角の方向と一致するように前記道路地図を回転して表示する、
請求項１１に記載の車両等検知システム。
【請求項１４】
前記クライアント端末は、
前記映像再生ダイアログへのユーザ操作に応じて、前記事件等の被疑者が乗車している車両の候補マークを前記再生画面の近傍に表示する、
請求項１０に記載の車両等検知システム。
【請求項１５】
前記クライアント端末は、
前記映像再生ダイアログへのユーザ操作に応じて、前記車両の通過方向を変更して表示する、
請求項１０に記載の車両等検知システム。
【請求項１６】
前記クライアント端末は、
前記カメラの撮像映像を記録するビデオレコーダと通信可能に接続され、前記映像再生ダイアログへのユーザ操作に応じて、前記カメラの撮像映像を前記ビデオレコーダから取得して前記映像再生ダイアログと異なる他の映像再生画面を表示再生する、
請求項１０に記載の車両等検知システム。
【請求項１７】
前記クライアント端末は、
前記映像再生ダイアログを非表示するユーザ操作に応じて、前記他の映像再生画面を非表示する、
請求項１６に記載の車両等検知システム。
【請求項１８】
前記クライアント端末は、
前記車両が前記交差点に進入してから退出するまで前記車両に所定形状の枠を重畳表示する、
請求項１２に記載の車両等検知システム。
【請求項１９】
交差点に設置されたカメラと通信可能に接続されたサーバと、前記サーバと通信可能に接続されたクライアント端末と、を含む車両等検知システムを用いた車両等検知方法であって、
前記クライアント端末は、
事件等が発生した日時および地点と前記事件等を引き起こした車両の特徴とを含む情報の入力に応じて、前記日時に前記地点の交差点を通過した車両の情報取得要求を前記サーバに送り、
前記サーバは、
前記情報取得要求に基づいて、前記日時における前記地点の交差点に対応するカメラの撮像映像を用いて、前記地点の交差点を通過した車両の車両情報および通過方向を抽出し、その抽出結果を前記クライアント端末に送り、
前記クライアント端末は、
前記抽出結果を用いて、前記地点の交差点を通過した車両の視覚特徴とその車両の通過方向とを対応付けて表示デバイスに表示する、
車両等検知方法。
【請求項２０】
交差点に設置されたカメラと通信可能に接続されたサーバと、前記サーバと通信可能に接続されたクライアント端末と、を含み、
前記クライアント端末は、
事件等が発生した日時および地点と前記事件等を引き起こした車両の特徴とを含む情報の入力に応じて、前記日時に前記地点の交差点を通過した車両の情報取得要求を前記サーバに送り、
前記サーバは、
前記情報取得要求に基づいて、前記日時における前記地点の交差点に対応するカメラの撮像映像を用いて、前記地点の交差点を通過した複数台の車両の車両情報および通過方向を対応付けて抽出し、その抽出結果を前記クライアント端末に送り、
前記クライアント端末は、
前記抽出結果と入力された前記情報とを含む車両候補レポートを作成して出力する、
車両等検知システム。
【請求項２１】
前記クライアント端末は、
前記抽出結果を用いて、前記地点の交差点を通過した複数台の車両の視覚特徴とそれぞれの車両の通過方向とを対応付けて表示デバイスに表示する、
請求項２０に記載の車両等検知システム。
【請求項２２】
前記クライアント端末は、
前記複数台の車両の視覚情報として、それぞれの車両の外観を示す静止画を表示する、
請求項２１に記載の車両等検知システム。
【請求項２３】
前記クライアント端末は、
前記カメラが設置された交差点の位置を示す道路地図の情報を保持し、前記地点の交差点を含む所定範囲の前記道路地図に前記通過方向を重畳して表示する、
請求項２０に記載の車両等検知システム。
【請求項２４】
前記クライアント端末は、
表示デバイスに表示された前記車両の視覚情報へのユーザ操作に応じて、前記事件等の被疑者が乗車している車両の候補マークをその車両近傍に表示する、
請求項２０に記載の車両等検知システム。
【請求項２５】
前記クライアント端末は、
前記候補マークへのユーザ操作に応じて、前記被疑者である可能性を示す候補マークの種別を切り替えて表示する、
請求項２４に記載の車両等検知システム。
【請求項２６】
前記クライアント端末は、
前記車両候補レポートの作成アイコンへのユーザ操作に応じて、同一の種別を有する前記候補マークが設定された少なくとも１台の車両に絞り込んだ前記車両候補レポートを作成する、
請求項２５に記載の車両等検知システム。
【請求項２７】
前記クライアント端末は、
前記表示デバイスに表示された少なくとも１台の前記車両の視覚情報へのユーザ操作に応じて、その車両の視覚特徴とその車両の通過方向との表示を非表示し、その非表示された車両以外の残りの車両に絞り込んだ前記車両候補レポートを作成する、
請求項２１に記載の車両等検知システム。
【請求項２８】
交差点に設置されたカメラと通信可能に接続されたサーバと、前記サーバと通信可能に接続されたクライアント端末と、を含み、
前記クライアント端末は、
事件等が発生した日時および地点と前記事件等を引き起こした車両の特徴とを含む情報の入力に応じて、前記日時に前記地点の交差点を通過した車両の情報取得要求を前記サーバに送り、
前記サーバは、
前記情報取得要求に基づいて、前記日時における前記地点の交差点に対応するカメラの撮像映像を用いて、前記地点の交差点を通過した複数台の車両の車両情報および通過方向を対応付けて抽出し、その抽出結果を前記クライアント端末に送り、
前記クライアント端末は、
前記抽出結果と入力された前記情報とを含む車両候補レポートを作成して出力する、
車両等検知方法。
【発明の詳細な説明】
【技術分野】
【０００１】
本開示は、カメラにより撮影された映像を用いて、車両等の検知を支援する車両等検知システムおよび車両等検知方法に関する。
【背景技術】
【０００２】
車両の走行経路の所定箇所に複数のカメラ装置を配置し、それぞれのカメラ装置により撮像されたカメラ画像情報をネットワークおよび無線情報交換装置を介して、車両に搭載された端末装置内の表示装置に表示する、という技術が知られている（例えば、特許文献１参照）。特許文献１によれば、ユーザは、車両の走行経路上に配置された複数のカメラにより撮像されたカメラ画像情報によって、情報量の多いリアルタイムのカメラ画像を得ることができる。
【先行技術文献】
【特許文献】
【０００３】
【特許文献１】特開２００７−１７４０１６号公報
【発明の概要】
【発明が解決しようとする課題】
【０００４】
しかし、特許文献１では、車両の走行経路（例えば、多くの人や車両が行き交う交差点）において事件または事故（以下、「事件等」という）が発生した場合、その事件等を引き起こした車両等の逃走方向と当時の車両等の画像あるいは映像等の視覚情報とを対応付けてユーザに視覚的に提示することは考慮されていない。事件等が発生した場合、逃走車両の視覚的な特徴ならびに行方を早期に把握することは警察の初動捜査において重要である。ところが、これまでの従来技術では、交差点に設置されたカメラにより撮影された映像や目撃情報等の手がかりを収集し、警察官がこれらの映像や目撃情報等を頼りに、対象となる逃走車両の特徴や逃走方向を把握していた。このため、警察官は逃走車両の視覚的な特徴や逃走方向の把握に時間がかかっており、初動捜査が遅れる可能性があるという課題があった。
【０００５】
本開示は、上述した従来の事情に鑑みて案出され、多くの人や車両が行き交う交差点で事件等が発生した場合に、逃走車両等の視覚的な特徴ならびに逃走方向の早期把握を効率的に支援し、警察等の捜査の利便性を的確に向上する車両等検知システムおよび車両等検知方法を提供することを目的とする。
【課題を解決するための手段】
【０００６】
本開示は、交差点に設置されたカメラと通信可能に接続されたサーバと、前記サーバと通信可能に接続されたクライアント端末と、を含み、前記クライアント端末は、事件等が発生した日時および地点と前記事件等を引き起こした車両の特徴とを含む情報の入力に応じて、前記日時に前記地点の交差点を通過した車両の情報取得要求を前記サーバに送り、前記サーバは、前記情報取得要求に基づいて、前記日時における前記地点の交差点に対応するカメラの撮像映像を用いて、前記地点の交差点を通過した車両の車両情報および通過方向を対応付けて抽出し、その抽出結果を前記クライアント端末に送り、前記クライアント端末は、前記抽出結果を用いて、前記地点の交差点を通過した車両の視覚特徴とその車両の通過方向とを対応付けて表示デバイスに表示する、車両等検知システムを提供する。
【０００７】
また、本開示は、交差点に設置されたカメラと通信可能に接続されたサーバと、前記サーバと通信可能に接続されたクライアント端末と、を含む車両等検知システムを用いた車両等検知方法であって、前記クライアント端末は、事件等が発生した日時および地点と前記事件等を引き起こした車両の特徴とを含む情報の入力に応じて、前記日時に前記地点の交差点を通過した車両の情報取得要求を前記サーバに送り、前記サーバは、前記情報取得要求に基づいて、前記日時における前記地点の交差点に対応するカメラの撮像映像を用いて、前記地点の交差点を通過した車両の車両情報および通過方向を抽出し、その抽出結果を前記クライアント端末に送り、前記クライアント端末は、前記抽出結果を用いて、前記地点の交差点を通過した車両の視覚特徴とその車両の通過方向とを対応付けて表示デバイスに表示する、車両等検知方法を提供する。
【０００８】
また、本開示は、交差点に設置されたカメラと通信可能に接続されたサーバと、前記サーバと通信可能に接続されたクライアント端末と、を含み、前記クライアント端末は、事件等が発生した日時および地点と前記事件等を引き起こした車両の特徴とを含む情報の入力に応じて、前記日時に前記地点の交差点を通過した車両の情報取得要求を前記サーバに送り、前記サーバは、前記情報取得要求に基づいて、前記日時における前記地点の交差点に対応するカメラの撮像映像を用いて、前記地点の交差点を通過した複数台の車両の車両情報および通過方向を対応付けて抽出し、その抽出結果を前記クライアント端末に送り、前記クライアント端末は、前記抽出結果と入力された前記情報とを含む車両候補レポートを作成して出力する、車両等検知システムを提供する。
【０００９】
また、本開示は、交差点に設置されたカメラと通信可能に接続されたサーバと、前記サーバと通信可能に接続されたクライアント端末と、を含み、前記クライアント端末は、事件等が発生した日時および地点と前記事件等を引き起こした車両の特徴とを含む情報の入力に応じて、前記日時に前記地点の交差点を通過した車両の情報取得要求を前記サーバに送り、前記サーバは、前記情報取得要求に基づいて、前記日時における前記地点の交差点に対応するカメラの撮像映像を用いて、前記地点の交差点を通過した複数台の車両の車両情報および通過方向を対応付けて抽出し、その抽出結果を前記クライアント端末に送り、前記クライアント端末は、前記抽出結果と入力された前記情報とを含む車両候補レポートを作成して出力する、車両等検知方法を提供する。
【発明の効果】
【００１０】
本開示によれば、多くの人や車両が行き交う交差点で事件等が発生した場合に、逃走車両等の視覚的な特徴ならびに逃走方向の早期把握を効率的に支援でき、警察等の捜査の利便性を的確に向上できる。
【図面の簡単な説明】
【００１１】
【図１】車両検知システムのシステム構成例を示すブロック図
【図２】カメラの内部構成例を示すブロック図
【図３】カメラの側面図
【図４】カバーを取り外した状態のカメラの側面図
【図５】カバーを取り外した状態のカメラの正面図
【図６】車両検索サーバおよびクライアント端末のそれぞれの内部構成例を示すブロック図
【図７】ビデオレコーダの内部構成例を示すブロック図
【図８】車両検索画面の一例を示す図
【図９】車両の交差点に対する流出入方向の設定例を示す説明図
【図１０】車両の車型および車色の設定例を示す説明図
【図１１】車両候補の検索結果画面の一例を示す図
【図１２】ユーザ操作により選択された車両候補の交差点通過時の映像の再生画面と交差点の流出入方向とを対応付けて示す映像再生ダイアログの一例を示す図
【図１３】映像再生ダイアログに表示される地図の表示変形例を示す図
【図１４】映像再生ダイアログに対する各種の操作例を示す説明図
【図１５】映像再生ダイアログの再生画面内において車両候補の移動に追従して注目枠が表示される例を示す説明図
【図１６】ユーザ操作により映像再生ダイアログが閉じられる時の画面遷移例の説明図
【図１７】事案画面の一例を示す図
【図１８】被疑者候補マークのランク変更例を示す説明図
【図１９】被疑者候補マークのランクによるフィルタリング例を示す説明図
【図２０】車両サムネイル画像と地図との対応付け表示の動作手順例を示すフローチャート
【図２１】図２０のステップＳｔ２の詳細な動作手順例を示すフローチャート
【図２２】図２０のステップＳｔ４の詳細な動作手順例を示すフローチャート
【図２３】車両サムネイル画像に対応する車両の動作再生の動作手順例を示すフローチャート
【図２４】図２３のステップＳｔ１３の詳細な動作手順例を示すフローチャート
【図２５】事案レポートの作成の前提となる車両の逃走シナリオ例を示す説明図
【図２６】事案レポートの第１例を示す図
【図２７】事案レポートの第２例を示す図
【図２８】事案レポートの第３例を示す図
【図２９】捜査の初動から事案レポートの出力までの動作手順例を示すフローチャート
【図３０】図２９のステップＳｔ２６の詳細な動作手順例を示すフローチャート
【発明を実施するための形態】
【００１２】
（実施の形態１に至る経緯）
上述した特許文献１では、車両の走行経路（例えば、多くの人や車両が行き交う交差点）において事件等が発生した場合、その事件等を引き起こした車両等の逃走方向と当時の車両等の画像あるいは映像等の視覚情報とを対応付けてユーザに視覚的に提示することは考慮されていない。事件等が発生した場合、逃走車両の視覚的な特徴ならびに行方を早期に把握することは警察の初動捜査において重要である。ところが、これまでの従来技術では、交差点に設置されたカメラにより撮影された映像や目撃情報等の手がかりを収集し、警察官がこれらの映像や目撃情報等を頼りに、対象となる逃走車両の特徴や逃走方向を把握していた。このため、警察官は逃走車両の視覚的な特徴や逃走方向の把握に時間がかかっており、初動捜査が遅れる可能性があるという課題があった。
【００１３】
そこで、以下の実施の形態１では、多くの人や車両が行き交う交差点で事件等が発生した場合に、逃走車両等の視覚的な特徴ならびに逃走方向の早期把握を効率的に支援し、警察等の捜査の利便性を的確に向上する車両等検知システムおよび車両等検知方法の例を説明する。
【００１４】
（実施の形態１）
以下、添付図面を適宜参照しながら、本開示に係る車両等検知システムおよび車両等検知方法を具体的に開示した実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面および以下の説明は、当業者が本開示を十分に理解するために提供されるのであって、これらにより特許請求の範囲に記載の主題を限定することは意図されていない。
【００１５】
以下、多くの人や車両が行き交う交差点あるいはその近辺において事件等（例えば、事件または事故）を引き起こした被疑者等の人物が乗車した車両（即ち、逃走車両）の追跡等を行う警察官の捜査を車両等検知システムによって支援する例を説明する。
【００１６】
図１は、車両検知システム１００のシステム構成例を示すブロック図である。車両等検知システムの一例としての車両検知システム１００は、それぞれの交差点に対応して設置されたカメラと、警察署内に設置された車両検索サーバ５０、ビデオレコーダ７０およびクライアント端末９０とを含む構成である。なお、以下の説明において、ビデオレコーダ７０は、警察署内でのオンプレミスによる管理でなく、車両検索サーバ５０とインターネット等の通信回線を介して接続されるオンラインストレージとして設けられてもよい。
【００１７】
車両検知システム１００では、１つの交差点に対し、１台のカメラ（例えば、カメラ１０）が設置される。なお、１つの交差点に対し、複数台のカメラ（例えば、カメラ１０、あるいはカメラ１０とは内部構成が異なるカメラ）が設置されてもよい。従って、ある交差点においてはカメラ１０が設置され、別の交差点においてはカメラ１０ａが設置される。なお、カメラ１０，１０ａ，…の各内部構成は同一である。カメラ１０，１０ａ，…は、イントラネットの通信回線等のネットワークＮＷ１を介して、警察署内の車両検索サーバ５０およびビデオレコーダ７０とそれぞれ通信可能に接続される。ネットワークＮＷ１は、有線通信回線（例えば、光ファイバを用いた光通信網）により構成されるが、無線通信網により構成されてもよい。
【００１８】
それぞれのカメラ１０，１０ａ，…は、交差点に設置された際に設定された撮像画角で被写体（例えば、交差点の状況を示す映像）を撮像可能な監視カメラであり、車両検索サーバ５０およびビデオレコーダ７０にそれぞれ撮像映像のデータを送る。撮像映像のデータには、単に撮像映像のデータに限らず、その撮像映像を撮像したカメラの識別情報（言い換えると、対応するカメラが設置された交差点の位置情報）および撮像日時の情報が含まれる。
【００１９】
車両検索サーバ５０（サーバの一例）は、例えば警察署内に設置され、その警察署の管轄地域内の全てあるいは一部の交差点に設置されたカメラ１０，１０ａ，…からそれぞれ送られた撮像映像のデータを受信し、プロセッサＰＲＣ１による各種の処理のためにメモリ５２あるいは蓄積部５６（図６参照）に一時的に保持（即ち、保存）する。保持された撮像映像のデータは、カメラ１０，１０ａ，…のそれぞれから送られて車両検索サーバ５０において受信される度に、車両検索サーバ５０によって映像解析がなされ、その事件等に関する詳細情報の取得に利用される。なお、保持された撮像映像のデータは、例えば事件等のイベントが発生した場合、クライアント端末９０からの車両情報要求に基づいて車両検索サーバ５０によって映像解析がなされ、その事件等に関する詳細情報の取得に利用される。また、車両検索サーバ５０は、一部の撮像映像（例えば、警察署内の管理者が使用する端末（図示略）の操作により指定された撮像映像（例えば、重要事件あるいは重大事件の撮像映像））をビデオレコーダ７０に送って蓄積させてもよい。また、車両検索サーバ５０は、上述した映像解析の結果として、映像の内容に関わるタグ情報（例えば、撮像映像中に現れた人物の顔等の人物情報、あるいは車種、車型、車色等の車両情報）を取得し、このタグ情報を撮像映像のデータに関連付けて付与して蓄積部５６に蓄積してよい。
【００２０】
クライアント端末９０は、例えば警察署内に設置され、その警察署内の職員（つまり、警察署内のユーザである警察官）により使用され、例えばラップトップ型またはノート型のＰＣ（Personal Computer）である。ユーザは、例えば事件等が発生した場合、その事件等の発生を警察署に通報した通報者からの電話により、その事件等に関する様々な情報を目撃情報（後述参照）として、クライアント端末９０を操作することでデータ入力して記録する。なお、クライアント端末９０は、上述した型のＰＣに限定されず、例えばスマートフォン、タブレット端末、ＰＤＡ（Personal Digital Assistant）等の通信機能を有するコンピュータであってもよい。クライアント端末９０は、上述した目撃情報に合致する車両（つまり、事件等を引き起こした被疑者等の人物が乗車している逃走車両）の検索を車両検索サーバ５０に実行させるための車両情報要求を車両検索サーバ５０に送り、その検索結果を受信してディスプレイ９４に表示する。
【００２１】
ビデオレコーダ７０は、例えば警察署内に設置され、その警察署の管轄地域内の全てあるいは一部の交差点に設置されたカメラ１０，１０ａ，…からそれぞれ送られた撮像映像のデータを受信し、バックアップ等のために保存する。ビデオレコーダ７０は、ユーザ操作に応じたクライアント端末９０からの要求により、保存されているカメラの撮像映像のデータをクライアント端末９０に送ってよい。なお、警察署内に設置される車両検索サーバ５０、ビデオレコーダ７０およびクライアント端末９０は、警察署内のイントラネット等のネットワークＮＷ２を介して相互に通信可能に接続される。
【００２２】
なお図１では、警察署内に設置される車両検索サーバ５０、ビデオレコーダ７０およびクライアント端末９０はそれぞれ１台だけ示されているが、それぞれ複数台が設けられてよい。また、車両検知システム１００において、警察署も複数の警察署が含まれてよい。
【００２３】
図２は、カメラ１０，１０ａ，…の内部構成例を示すブロック図である。上述したように、カメラ１０，１０ａ，…はそれぞれ同一の構成を有するので、以下、カメラ１０を例示して説明する。図３は、カメラの側面図である。図４は、カバーを取り外した状態のカメラの側面図である。図５は、カバーを取り外した状態のカメラの正面図である。なお、カメラ１０，１０ａ，…は、図３〜図５に示す外観および構造を有するものに限定されない。
【００２４】
先ず、カメラ１０の外観および機構について、図３〜図５を参照して説明する。図３に示すカメラ１０は、例えば、交差点に設置されている信号機の柱あるいは電信柱に固定して設置される。以下、カメラ１０に対し、図３に示す３軸の座標軸を設定する。
【００２５】
図３に示すように、カメラ１０は、筐体１とカバー２とを有している。筐体１は、底部に固定面Ａ１を有している。カメラ１０は、固定面Ａ１を介して、例えば、信号機の柱あるいは電信柱に固定される。
【００２６】
カバー２は、例えばドーム型のカバーであり、半球形状を有している。カバー２は、例えば、ガラスまたはプラスチック等の透明な材料により形成されている。図３の矢印Ａ２が示す部分は、カバー２の天頂を示している。
【００２７】
カバー２は、筐体１に取り付けられている複数の撮影部（図４または図５参照）を覆うように、筐体１に固定される。カバー２は、筐体１に取り付けられている複数の撮影部１１ａ，１１ｂ，１１ｃ，１１ｄを保護する。
【００２８】
図４において、図３と同じものには同じ符号が付してある。図４に示すように、カメラ１０は、複数の撮影部１１ａ，１１ｂ，１１ｃを有している。カメラ１０は、４つの撮影部を有しているが、図４では、もう１つの撮影部１１ｄは、撮影部１１ｂの後方（即ち、−ｘ軸方向）に隠れている。
【００２９】
図５において、図３と同じものには同じ符号を有している。図２および図５に示すように、カメラ１０は、４つの撮影部１１ａ，１１ｂ，１１ｃ，１１ｄを有している。撮影部１１ａ〜１１ｄの撮影方向（例えば、レンズ面から垂直に伸びる方向）は、ユーザの手によって調整される。
【００３０】
筐体１は、ベース１２を有している。ベース１２は、板状の部材であり、装置正面（＋ｚ軸方向）から見て、円形状を有している。撮影部１１ａ〜１１ｄは、以下で詳述するが、ベース１２に対し、可動可能に固定（連結）されている。
【００３１】
ベース１２の中心は、カバー２の天頂直下（天頂の真下） に位置している。例えば、ベース１２の中心は、図３の矢印Ａ２に示すカバー２の天頂の真下に位置している。
【００３２】
図２に示すように、カメラ１０は、４つの撮影部１１ａ〜１１ｄと、プロセッサ１２Ｐと、メモリ１３と、通信部１４と、記録部１５とを含む構成である。カメラ１０は、４つの撮影部１１ａ〜１１ｄを有するので、４方向（図５参照）に撮像画角を有するマルチセンサカメラである。しかし、実施の形態１では、例えば対向して配置される２つの撮影部（例えば、撮影部１１ａ，１１ｃ）が使用される。これは、撮影部１１ａが交差点全体を撮影可能に広域に撮像し、撮影部１１ｃが撮影部１１ａの撮像画角の死角となる範囲（例えば、カメラ１０の設置位置から鉛直方向下側の歩行者が歩く領域）を補足するように撮像するためである。なお、撮影部１１ａ，１１ｃの少なくとも２つが使用されればよく、さらに撮影部１１ｂ，１１ｄのいずれかあるいは両方がそれぞれ使用されてもよい。
【００３３】
撮影部１１ａ〜１１ｄはそれぞれ同一の構成であるため、撮影部１１ａを例示して説明する。撮影部１１ａは、集光用のレンズと、ＣＣＤ（Charge Coupled Device）型イメージセンサもしくはＣＭＯＳ（Complementary Metal Oxide Semiconductor）型イメージセンサ等の固体撮像素子とを有する構成である。撮影部１１ａは、カメラ１０の電源がオンである間、固体撮像素子による撮像に基づいて得られた被写体の撮像映像のデータを常時プロセッサ１２Ｐに出力する。また、撮影部１１ａ〜１１ｄは、それぞれ撮像時のズーム倍率を変更させる機構を備えてもよい。
【００３４】
プロセッサ１２Ｐは、例えばＣＰＵ（Central Processing Unit）、ＭＰＵ（Micro Processing Unit）、ＤＳＰ（Digital Signal Processor）もしくはＦＰＧＡ（Field-Programmable Gate Array）を用いて構成される。プロセッサ１２Ｐは、カメラ１０の制御部として機能し、カメラ１０の各部の動作を全体的に統括するための制御処理、カメラ１０の各部との間のデータの入出力処理、データの演算（計算）処理およびデータの記憶処理を行う。プロセッサ１２Ｐは、メモリ１３に記憶されたプログラムおよびデータに従って動作する。プロセッサ１２Ｐは、動作時にメモリ１３を使用し、現在の時刻情報を取得したり、撮影部１１ａ、１１ｃによりそれぞれ撮像された撮像映像のデータに対して各種の公知の画像処理を施した上で記録部１５に記録したりする。なお、図２には図示を省略しているが、カメラ１０がＧＰＳ（Global Positioning System）受信部を有する場合、ＧＰＳ受信部から現在の位置情報を取得し、撮像映像のデータに位置情報を更に対応付けて記録してよい。
【００３５】
ここでＧＰＳ受信部について簡単に説明する。ＧＰＳ受信部は、複数のＧＰＳ発信機（例えば４個の航法衛星）から送信される、各自の信号送信時刻および位置座標を含む衛星信号を受信する。ＧＰＳ受信部は、複数の衛星信号を用いて、現在のカメラの位置座標および衛星信号の受信時刻を算出する。なお、この算出は、ＧＰＳ受信部ではなく、ＧＰＳ受信部からの出力が入力されたプロセッサ１２Ｐにより実行されてよい。なお、受信時刻の情報は、カメラのシステム時刻の補正のためにも使用されてよい。システム時刻は、例えば撮像映像を構成する撮像画像の撮像時刻の記録等に利用される。
【００３６】
また、プロセッサ１２Ｐは、通信部１４により受信された外部からの制御コマンドに従って、撮影部１１ａ〜１１ｄによる撮影条件（例えば、ズーム倍率）を可変的に制御してもよい。例えば、外部からの制御コマンドがズーム倍率の変更を指示する場合、プロセッサ１２Ｐは、その制御コマンドに従って、その制御コマンドで指定される撮影部の撮影時におけるズーム倍率を変更する。
【００３７】
また、プロセッサ１２Ｐは、記録部１５に記録された撮像映像のデータを、通信部１４を介して車両検索サーバ５０およびビデオレコーダ７０に繰り返して送る。ここで、繰り返して送るとは、定められた一定周期の時間経過の度に送信することに限定されず、一定周期ではなく定められた不規則な時間間隔の経過の度に送信することも含まれてよく、複数回にわたって送信することを含む。
【００３８】
メモリ１３は、例えばＲＡＭ（Random Access Memory）とＲＯＭ（Read Only Memory）を用いて構成され、カメラ１０の動作の実行に必要なプログラムおよびデータ、さらには、動作中に生成された情報またはデータ等を一時的に保存する。ＲＡＭは、例えばプロセッサ１２Ｐの動作時に使用されるワークメモリである。ＲＯＭは、例えばプロセッサ１２Ｐを制御するためのプログラムおよびデータを予め記憶する。また、メモリ１３は、例えばカメラ１０を識別する識別情報（例えばシリアル番号）および各種設定情報を記憶する。
【００３９】
通信部１４は、プロセッサ１２Ｐの指示に基づいて、上述したネットワークＮＷ１を介して、記録部１５に記録された撮像映像のデータを車両検索サーバ５０およびビデオレコーダ７０にそれぞれ送る。また、通信部１４は、外部（例えば、車両検索サーバ５０）から送られたカメラ１０の制御コマンドを受信したり、カメラ１０の状態情報を外部（例えば、車両検索サーバ５０）に送信したりする。
【００４０】
記録部１５は、カメラ１０に内蔵される半導体メモリ（例えばフラッシュメモリ）、またはカメラ１１に内蔵されないメモリカード（例えばＳＤカード）などの外部記憶媒体を用いて構成される。記録部１５は、プロセッサ１２Ｐにより生成された撮像映像のデータをカメラ１０の識別情報（カメラ情報の一例）および撮像日時の情報と対応付けて記録する。記録部１５は、所定時間（例えば３０秒）分の撮像映像のデータを常時プリバッファリングして保持し、現在時刻より所定時間（例えば３０秒）前までの撮像映像のデータを上書きしながら蓄積し続ける。なお、記録部１５がメモリカードで構成される場合、カメラ１０の筐体に挿抜自在に装着される。
【００４１】
図６は、車両検索サーバ５０およびクライアント端末９０のそれぞれの内部構成例を示すブロック図である。車両検索サーバ５０とクライアント端末９０とビデオレコーダ７０とは、ともに警察署内に設けられた有線ＬＡＮ（Local Area Network）等のイントラネットを用いて接続されるが、無線ＬＡＮ等の無線ネットワークを介して接続されてもよい。
【００４２】
車両検索サーバ５０は、通信部５１と、メモリ５２と、車両検索部５３と、車両解析部５４と、タグ付与部５５と、蓄積部５６とを含む構成である。車両検索部５３と、車両解析部５４と、タグ付与部５５とは、例えばＣＰＵ、ＭＰＵ、ＤＳＰ、ＦＰＧＡ等のプロセッサＰＲＣ１により構成される。
【００４３】
通信部５１は、イントラネット等のネットワークＮＷ１を介して接続されたカメラ１０，１０ａ，…との間で通信を行い、カメラ１０，１０ａ，…からそれぞれ送られた撮像映像（つまり、交差点の状況を示す映像）のデータを受信する。また、通信部５１は、警察署内に設けられたイントラネット等のネットワークＮＷ２を介して、クライアント端末９０との間で通信を行い、クライアント端末９０から送られた車両情報要求を受信したり、その車両情報要求の応答を送信したりする。また、通信部５１は、メモリ５２あるいは蓄積部５６にて保持されている撮像映像のデータをビデオレコーダ７０に送る。
【００４４】
メモリ５２は、例えばＲＡＭとＲＯＭを用いて構成され、車両検索サーバ５０の動作の実行に必要なプログラムやデータ、さらには、動作中に生成された情報またはデータ等を一時的に保存する。ＲＡＭは、例えばプロセッサＰＲＣ１の動作時に使用されるワークメモリである。ＲＯＭは、例えばプロセッサＰＲＣ１を制御するためのプログラムおよびデータを予め記憶する。また、メモリ５２は、例えば車両検索サーバ５０を識別する識別情報（例えばシリアル番号）および各種設定情報を記憶する。
【００４５】
車両検索部５３は、クライアント端末９０から送られた車両情報要求に基づいて、蓄積部５６に記録されているデータの中から、車両情報要求に合致する車両情報を検索する。車両検索部５３は、車両情報要求に合致する車両情報の検索結果を抽出して取得する。車両検索部５３は、検索結果（抽出結果）のデータを、通信部５１を介してクライアント端末９０に送る。
【００４６】
車両解析部５４は、例えばそれぞれのカメラ１０，１０ａ，…からの撮像映像のデータが蓄積部５６に保持される度に、その保持されている撮像映像のデータを順に解析し、その撮像映像に映る車両（言い換えると、カメラが設置された交差点を流入および流出した車両）に関する情報（車両情報）を抽出して取得する。車両解析部５４は、車両情報として、例えば、車両の車種、車型、車色、ナンバープレート等の情報、車両に乗車している人物情報、乗車人数、さらに、その車両の交差点通過時の走行方向（具体的には、交差点への流入方向と、その交差点からの流出方向）を取得してタグ付与部５５に送る。車両解析部５４は、例えば複数枚の撮像画像のフレームの時間的な差分に基づいて、車両の交差点通過時の走行方向を判別可能である。走行方向は、例えば車両が交差点を直進、左折、右折または転回のうちいずれの走行によって通過したかを示す。
【００４７】
タグ付与部５５は、車両解析部５４により得られた車両情報と車両解析部５４が解析に用いた撮像映像の撮像日時および地点（つまり、交差点の位置）とを対応付け（タグ付けの一例）して蓄積部５６の検知情報ＤＢ（Database）５６ａに記録する。これにより、車両検索サーバ５０は、どの交差点のいつの時点で撮像された撮像映像にどのような車両情報が付与されたのかを明確に判別可能となる。なお、タグ付与部５５の処理は、車両解析部５４により実行されてもよく、この場合にはタグ付与部５５の構成を不要にできる。
【００４８】
蓄積部５６は、例えばハードディスク（ＨＤＤ：Hard Disk Drive）またはソリッドステートドライブ（ＳＳＤ：Solid State Drive）を用いて構成される。蓄積部５６は、カメラ１０，１０ａ，…から送られた撮像映像のデータを、その撮像映像を撮像したカメラの識別情報（言い換えると、対応するカメラが設置された交差点の位置情報）および撮像日時の情報と対応付けて記録する。また、蓄積部５６は、それぞれのカメラ１０，１０ａ，…が設置された交差点の位置を示す道路地図の情報も記録しており、例えば道路の新規建設もしくはメンテナンス工事等によって道路地図の情報更新が行われる度に、更新後の道路地図の情報を記録する。また、蓄積部５６は、それぞれの交差点に設置された１台のカメラとその交差点との対応関係を示す交差点カメラ設置データを記録している。交差点カメラ設置データは、例えば交差点の識別情報とカメラの識別情報とが対応付けられている。従って、蓄積部５６は、カメラの撮像映像のデータを、撮像日時の情報、カメラ情報および交差点情報と対応付けて記録している。なお、道路地図の情報は、クライアント端末９０のメモリ９５において記録される。
【００４９】
また、蓄積部５６は、検知情報ＤＢ５６ａおよび事案ＤＢ５６ｂを有する。
【００５０】
検知情報ＤＢ５６ａは、タグ付与部５５の出力（つまり、車両解析部５４によりカメラの撮像映像が解析された結果として得られる車両情報と、解析に使用された撮像映像の日時および地点の情報とのセット）を格納する。検知情報ＤＢ５６ａは、例えば車両検索部５３が車両情報要求に合致する車両情報の抽出の際に参照される。
【００５１】
事案ＤＢ５６ｂは、事件等の事案ごとに、事案が発生した日時、地点等の目撃情報ならびにその目撃情報に基づいて車両検索部５３の検索結果となる車両情報等の事案詳細情報を登録して格納する。事案詳細情報は、例えば、事案が発生した日時および地点等の事案情報、検索された車両の車両サムネイル画像、被疑者候補マークのランク、事案が発生した地点を含む周辺地図情報、車両の交差点の流入出方向、車両の交差点通過時刻、ユーザのメモを含む。なお、事案詳細情報は、上述した内容に限定されない。
【００５２】
クライアント端末９０は、操作部９１と、プロセッサ９２と、通信部９３と、ディスプレイ９４と、メモリ９５と、記録部９６とを含む構成である。クライアント端末９０は、警察署内の職員（即ち、ユーザである警察官）により使用される。ユーザは、事件等の目撃者等によってその事件等の発生を通報するための電話があった場合、ヘッドセットＨＤＳを装着して電話に応対する。ヘッドセットＨＤＳは、クライアント端末９０に接続されて使用され、ユーザの発する音声を収音したり、話し相手（即ち、通報者）の発した音声を出力したりする。
【００５３】
操作部９１は、ユーザの操作を検出するユーザインターフェース（ＵＩ：User Interface）であり、マウスあるいはキーボード等を用いて構成される。操作部９１は、ユーザの操作に基づく信号をプロセッサ９２に出力する。操作部９１は、例えば、ユーザが調べる事件等の事案の発生日時および地点の交差点の撮像映像を確認したい場合、その日時および地点、車両の特徴を含む検索条件の入力を受け付ける。
【００５４】
プロセッサ９２は、例えばＣＰＵ、ＭＰＵ、ＤＳＰまたはＦＰＧＡを用いて構成され、クライアント端末９０の制御部として機能し、クライアント端末９０の各部の動作を全体的に統括するための制御処理、クライアント端末９０の各部との間のデータの入出力処理、データの演算処理およびデータの記憶処理を行う。プロセッサ９２は、メモリ９５に記憶されたプログラムおよびデータに従って動作する。プロセッサ９２は、動作時にメモリ９５を使用し、現在の時刻情報を取得したり、車両検索サーバ５０から送られた車両の検索結果、あるいはビデオレコーダ７０から送られた撮像映像をディスプレイ９４に表示したりする。また、プロセッサ９２は、操作部９１により入力された検索条件（上述参照）を含む車両取得要求を作成し、その車両取得要求を、通信部９３を介して車両検索サーバ５０に送信する。
【００５５】
通信部９３は、イントラネット等のネットワークＮＷ２を介して接続された車両検索サーバ５０あるいはビデオレコーダ７０との間で通信を行う。例えば、通信部９３は、車両検索サーバ５０に対してプロセッサ９２が作成した車両取得要求を送信したり、車両検索サーバ５０から送られた車両情報の検索結果を受信したりする。また、通信部９３は、ビデオレコーダ７０に対してプロセッサ９２が作成した撮像映像の取得要求を送信したり、ビデオレコーダ７０から送られた撮像映像を受信したりする。
【００５６】
ディスプレイ９４は、例えばＬＣＤ（Liquid Crystal Display）または有機ＥＬ（Electroluminescence）等の表示デバイスを用いて構成され、プロセッサ９２から送られた各種のデータを表示する。
【００５７】
メモリ９５は、例えばＲＡＭとＲＯＭを用いて構成され、クライアント端末９０の動作の実行に必要なプログラムやデータ、さらには、動作中に生成された情報またはデータ等を一時的に保存する。ＲＡＭは、例えばプロセッサ９２の動作時に使用されるワークメモリである。ＲＯＭは、例えばプロセッサ９２を制御するためのプログラムおよびデータを予め記憶する。また、メモリ９５は、例えばクライアント端末９０を識別する識別情報（例えばシリアル番号）および各種設定情報を記憶する。
【００５８】
記録部９６は、例えばハードディスクドライブまたはソリッドステートドライブを用いて構成される。記録部９６は、それぞれのカメラ１０，１０ａ，…が設置された交差点の位置を示す道路地図の情報も記録しており、例えば道路の新規建設もしくはメンテナンス工事等によって道路地図の情報更新が行われる度に、更新後の道路地図の情報を記録する。また、記録部９６は、それぞれの交差点に設置された１台のカメラとその交差点との対応関係を示す交差点カメラ設置データを記録している。交差点カメラ設置データは、例えば交差点の識別情報とカメラの識別情報とが対応付けられている。従って、記録部９６は、カメラの撮像映像のデータを、撮像日時の情報、カメラ情報および交差点情報と対応付けて記録している。
【００５９】
図７は、ビデオレコーダ７０の内部構成例を示すブロック図である。ビデオレコーダ７０は、イントラネット等のネットワークＮＷ１を介してカメラ１０，１０ａ，…との間で通信可能に接続され、また、イントラネット等のネットワークＮＷ２を介して車両検索サーバ５０およびクライアント端末９０との間で通信可能に接続されている。
【００６０】
ビデオレコーダ７０は、通信部７１と、メモリ７２と、映像検索部７３と、映像記録処理部７４と、映像蓄積部７５とを含む構成である。映像検索部７３と、映像記録処理部７４とは、例えばＣＰＵ、ＭＰＵ、ＤＳＰ、ＦＰＧＡなどのプロセッサＰＲＣ２により構成される。
【００６１】
通信部７１は、イントラネット等のネットワークＮＷ１を介して接続されたカメラ１０，１０ａ，…との間で通信を行い、カメラ１０，１０ａ，…からそれぞれ送られた撮像映像（つまり、交差点の状況を示す映像）のデータを受信する。また、通信部７１は、警察署内に設けられたイントラネット等のネットワークＮＷ２を介して、クライアント端末９０との間で通信を行い、クライアント端末９０から送られた映像要求を受信したり、その映像要求の応答を送信したりする。
【００６２】
メモリ７２は、例えばＲＡＭとＲＯＭを用いて構成され、ビデオレコーダ７０の動作の実行に必要なプログラムやデータ、さらには、動作中に生成された情報またはデータ等を一時的に保存する。ＲＡＭは、例えばプロセッサＰＲＣ２の動作時に使用されるワークメモリである。ＲＯＭは、例えばプロセッサＰＲＣ２を制御するためのプログラムおよびデータを予め記憶する。また、メモリ７２は、例えばビデオレコーダ７０を識別する識別情報（例えばシリアル番号）および各種設定情報を記憶する。
【００６３】
映像検索部７３は、クライアント端末９０から送られた映像要求に基づいて、その映像要求に合致するカメラの撮像映像を、映像蓄積部７５を検索することで抽出する。映像検索部７３は、抽出された撮像映像のデータを、通信部７１を介してクライアント端末９０に送る。
【００６４】
映像記録処理部７４は、例えばそれぞれのカメラ１０，１０ａ，…からの撮像映像のデータが通信部７１において受信される度に、その受信された撮像映像のデータを映像蓄積部７５に記録する。
【００６５】
映像蓄積部７５は、例えばハードディスクまたはソリッドステートドライブを用いて構成される。映像蓄積部７５は、それぞれのカメラ１０，１０ａ，…から送られた撮像映像のデータを、その撮像映像を撮像したカメラの識別情報（言い換えると、対応するカメラが設置された交差点の位置情報）および撮像日時の情報と対応付けて記録する。
【００６６】
次に、実施の形態１のユーザである警察官の捜査の際に、クライアント端末９０のディスプレイ９４に表示される各種の画面について、図６から図１９を参照して説明する。図６〜図１９の説明において、図中に示される構成と同一の構成については同一の符号を参照して説明を簡略化あるいは省略する。
【００６７】
捜査において、クライアント端末９０は、ユーザ（警察官）の操作により、予めインストールされている車両検知アプリケーション（以下、「車両検知アプリ」と称する）を立ち上げて実行中である。なお、この車両検知アプリは、例えばクライアント端末９０のメモリ９５のＲＯＭに格納されており、ユーザの操作により立ち上げられると、プロセッサ９２により実行される。なお、この車両検知アプリの起動中においてプロセッサ９２により作成される各種のデータあるいは情報は、一時的にメモリ９５のＲＡＭに保持される。
【００６８】
図８は、車両検索画面ＷＤ１の一例を示す図である。図９は、逃走車両の交差点に対する流出入方向の設定例を示す説明図である。図１０は、逃走車両の車型および車色の設定例を示す説明図である。プロセッサ９２は、車両検知アプリの中で、所定のユーザ操作により、車両検索画面ＷＤ１をディスプレイ９４に表示する。車両検索画面ＷＤ１は、クライアント端末９０の記録部９６に記録されている道路地図の情報に対応する道路地図ＭＰ１と検索タブＴＢ１により特定される複数の検索条件の入力欄との両方が並べて表示された構成である。以下の説明において、車両検知アプリは、プロセッサ９２により実行されるとともに、その実行中に車両検索サーバ５０あるいはビデオレコーダ７０との間で通信を行う。
【００６９】
道路地図ＭＰ１上には、カメラＣＭ１，ＣＭ２，ＣＭ３，ＣＭ４，ＣＭ５のアイコンは、それぞれ対応するカメラが設置された交差点の位置を示すように配置されている。それぞれのカメラのアイコンは、対応する交差点に１台以上のカメラが設置されている場合でも代表的に１つのカメラのアイコンとして示されている。なお、車両検索サーバ５０により車両情報の検索がなされる場合には、ユーザにより指定された地点の交差点に設置された１台あるいは１台以上のカメラの撮像映像が検索の対象となる。これにより、ユーザは、カメラが設置された交差点の場所を視覚的に判別可能となる。カメラＣＭ１〜ＣＭ５の内部構成は、図２に示したカメラ１０，１０ａ，…と同一の内部構成である。なお、上述したように、交差点にカメラが設置される際、１台だけのカメラがそれぞれ設置されており、それぞれのカメラＣＭ１〜ＣＭ５は、図３〜図５を参照して説明したように、複数の撮影部を用いて複数の撮像画角を有して撮影可能である。
【００７０】
例えば、図８では、カメラＣＭ１のアイコンは撮像画角ＡＧ１（つまり、北西方向）が中心となるように配置されている。また、カメラＣＭ２のアイコンは撮像画角ＡＧ２（つまり、北東方向）が中心となるように配置されている。また、カメラＣＭ３のアイコンは撮像画角ＡＧ３（つまり、北東方向）が中心となるように配置されている。また、カメラＣＭ４のアイコンは撮像画角ＡＧ４（つまり、南西方向）が中心となるように配置されている。また、カメラＣＭ５のアイコンは撮像画角ＡＧ５（つまり、南東方向）が中心となるように配置されている。
【００７１】
検索タブＴＢ１により特定される複数の検索条件の入力欄には、例えば、「Ｌａｔｅｓｔ」アイコンＬＴ１、日時開始入力欄ＦＲ１、日時終了入力欄ＴＯ１、地点エリア入力欄ＰＡ１、車型入力欄ＳＹ１、車色入力欄ＣＬ１、検索アイコンＣＳ１、車型あいまい検索バーＢＢＲ１、車色あいまい検索バーＢＢＲ２、および時間あいまい検索バーＢＢＲ３が含まれる。
【００７２】
「Ｌａｔｅｓｔ」アイコンＬＴ１は、検索日時を最新日時に設定するためのアイコンであり、捜査中にユーザ操作により押下されると、プロセッサ９２は、検索条件（例えば、期間）として最新日時（例えば、押下された時点の日時から１０分前の期間）をセット（設定）する。
【００７３】
日時開始入力欄ＦＲ１は、捜査中に事件等を引き起こした被疑者等の人物が乗車している車両（以下、「逃走車両」という）を車両検索サーバ５０に検索させるために、その検索の対象となる逃走車両の存在の開始（起点）となる日時として、ユーザ操作により入力される。日時開始入力欄ＦＲ１には、例えば、事件等の発生日時またはその日時より少し前の日時が入力される。図８〜図１０では、日時開始入力欄ＦＲ１には、「２０１８年４月２０日の午後１時（１３時００分）」が入力された例が示されている。ユーザ操作により入力されると、プロセッサ９２は、検索条件（例えば、開始日時）として日時開始入力欄ＦＲ１に入力された日時をセット（設定）する。
【００７４】
日時終了入力欄ＴＯ１は、捜査中に逃走車両を車両検索サーバ５０に検索させるために、その検索の対象となる逃走車両の存在の終了となる日時として、ユーザ操作により入力される。日時終了入力欄ＴＯ１には、例えば、逃走車両の検索期間の終了日時が入力される。図８〜図１０では、日時終了入力欄ＴＯ１には、「２０１８年４月２０日の午後２時（１４時００分）」が入力された例が示されている。ユーザ操作により入力されると、プロセッサ９２は、検索条件（例えば、終了日時）として日時終了入力欄ＴＯ１に入力された日時をセット（設定）する。
【００７５】
なお、プロセッサ９２は、ユーザ操作により日時開始入力欄ＦＲ１もしくは日時終了入力欄ＴＯ１の押下を検知すると、日時開始入力欄ＦＲ１および日時終了入力欄ＴＯ１のそれぞれに対応したカレンダー（図示略）と開始あるいは終了のための時刻の選択用のプルダウンリストとを含む詳細ペイン画面（図示略）を表示する。なお、プロセッサ９２は、ユーザ操作により所定のアイコン（図示略）の押下（クリック）を検知すると、日時開始入力欄ＦＲ１および日時終了入力欄ＴＯ１のそれぞれに対応したカレンダー（図示略）と開始あるいは終了のための時刻の選択用のプルダウンリストとを含む詳細ペイン画面（図示略）を表示してもよい。これにより、ユーザは、クライアント端末９０により、日時の選択が促される。なお、プロセッサ９２は、カメラの撮像映像のデータが記録されている日付情報を車両検索サーバ５０から取得している場合、その日付情報に対応した日付だけを選択可能に表示してよい。プロセッサ９２は、ユーザ操作により詳細ペイン画面（図示略）が閉じられたことを検知した場合のみ、他の操作を受け付け可能となる。
【００７６】
地点エリア入力欄ＰＡ１は、捜査中に逃走車両を車両検索サーバ５０に検索させるために、その検索の対象となる逃走車両が通過した地点（言い換えると、カメラが設置された交差点）として、ユーザ操作により入力される。例えば、道路地図ＭＰ１上に示されたカメラのアイコンがユーザ操作により指定されると、地点エリア入力欄ＰＡ１に表示される。図８〜図１０では、地点エリア入力欄ＰＡ１には、「ＤＤＤ  Ｓｔ．＆Ｅ１６ｔｈ  Ａｖｅ＋ＥＥＥ  Ｓｔ．＆Ｅ１６ｔｈ  Ａｖｅ＋ＥＥＥ  Ｓｔ．＆Ｅ１７ｔｈ  Ａｖｅ＋ＦＦＦ  Ｓｔ．＆Ｅ１７ｔｈ  Ａｖｅ」が入力された例が示されている。ユーザ操作により入力されると、プロセッサ９２は、検索条件（例えば、地点）として地点エリア入力欄ＰＡ１に入力された地点（つまり、その地点の位置情報）をセット（設定）する。プロセッサ９２は、地点エリア入力欄ＰＡ１に最大で４地点の入力を受け付け可能であり、例えば、４地点を超える入力を受け付けた場合にエラーメッセージをポップアップ表示してよい。
【００７７】
また図９に示すように、プロセッサ９２は、ユーザ操作により指定されたカメラのアイコンに対する所定の操作により、逃走車両の交差点への流入方向および流出方向のうち少なくとも１つを検索条件として設定可能である。図９において、実線の矢印が選択中を示し、破線の矢印が非選択中を示す。例えば、カメラＣＭ１の交差点では西から東への一方向を示す方向ＤＲ１１が流入方向および流出方向としてそれぞれ設定される。カメラＣＭ２の交差点では西から東および東から西への双方向を示す方向ＤＲ２１と南から北および北から南への双方向を示す方向ＤＲ２２とが流入方向および流出方向としてそれぞれ設定される。カメラＣＭ４の交差点では西から東および東から西への双方向を示す方向ＤＲ４１と南から北および北から南への双方向を示す方向ＤＲ４２とが流入方向および流出方向としてそれぞれ設定される。カメラＣＭ５の交差点では西から東および東から西への双方向を示す方向ＤＲ５１と南から北および北から南への双方向を示す方向ＤＲ５２とが流入方向および流出方向としてそれぞれ設定される。
【００７８】
また図９に示すように、プロセッサ９２は、ユーザ操作によりカメラ（例えば、カメラＣＭ３）のアイコンにマウスオーバを検知すると、そのカメラＣＭ３に対応する交差点の地名をポップアップ表示ＰＰ１で表示してよい。
【００７９】
また、車両検索画面ＷＤ１内の道路地図ＭＰ１は、プロセッサ９２によって、ユーザ操作により適宜スライドされて表示される。ここで、ユーザ操作によりデフォルトビューアイコンＤＶ１が押下されると、プロセッサ９２は、現在の道路地図ＭＰ１の表示を、既定の初期状態の道路地図ＭＰ１に切り替えて表示する。
【００８０】
プロセッサ９２は、ユーザ操作により、車型入力欄ＳＹ１あるいは車色入力欄ＣＬ１の押下を検知した場合、逃走車両の車型および車色の選択画面ＤＴＬ１を車両検索画面ＷＤ１の道路地図ＭＰ１上に重ねて表示する。
【００８１】
車型入力欄ＳＹ１は、捜査中に逃走車両を車両検索サーバ５０に検索させるために、その検索の対象となる逃走車両の車型（つまり、逃走車両の車体の形状）として、複数の選択肢ＩＴＭ１の中からユーザ操作により入力される。車型の選択肢ＩＴＭ１は、具体的には、セダン（Sedan）、ワゴン（Van）、スポーツカー（SUV）、バイク（Bike）、トラック（Truck）、バス（Bus）、送迎用バス（Pickup Truck）である。これらのうちから少なくとも一つがユーザ操作により選択されて入力される。図１０では、例えば、セダンとスポーツカーとが選択されたことを示す選択アイコンＣＫ１，ＣＫ２が示されている。全て選択される場合には、ユーザ操作により、全選択アイコンＳＡ１が押下される。選択が全て解除される場合には、ユーザ操作により、全解除アイコンＤＡ１が押下される。
【００８２】
車色入力欄ＣＬ１は、捜査中に逃走車両を車両検索サーバ５０に検索させるために、その検索の対象となる逃走車両の車色（つまり、逃走車両の車体の色）として、ユーザ操作により入力される。車色の選択肢ＩＭＴ２は、具体的には、灰色（Gray/Silver）、白（White）、赤（Red）、黒（Black）、青（Blue）、緑（Green）、茶色（Brown）、黄色（Yellow）、紫（Purple）、ピンク（Pink）、橙（Orange）である。これらのうちから少なくとも一つがユーザ操作により選択されて入力される。図１０では、例えば、灰色が選択されたことを示す選択アイコンＣＫ３が示されている。全て選択される場合には、ユーザ操作により、全選択アイコンＳＡ２が押下される。選択が全て解除される場合には、ユーザ操作により、全解除アイコンＤＡ２が押下される。
【００８３】
検索アイコンＣＳ１は、ユーザ操作により入力された各種の検索条件が全て適正に入力された時点で押下可能にプロセッサ９２により表示される。ユーザ操作により検索アイコンＣＳ１が押下されると、プロセッサ９２は、その押下を検知し、入力された各種の検索条件を含む車両情報要求を生成し、通信部９３を介して車両検索サーバ５０に送る。プロセッサ９２は、車両情報要求に基づく車両検索サーバ５０の検索結果を、通信部９３を介して受信して取得する。
【００８４】
車型あいまい検索バーＢＢＲ１は、ユーザ操作により、車型の検索精度として、狭い（Narrow）精度の検索と全て（All）の車型を含む精度の検索とを調整可能なスライドバーである。狭い（Narrow）側に調整された場合、プロセッサ９２は、車型入力欄ＳＹ１と同一の車型を検索条件（例えば、車型）としてセット（設定）する。一方、全て（All）側に調整された場合、プロセッサ９２は、車型入力欄ＳＹ１に入力された車型に限らず、選択肢ＩＴＭ１の全ての車型を含めて検索条件（例えば、車型）をセット（設定）する。
【００８５】
車色あいまい検索バーＢＢＲ２は、ユーザ操作により、車色の検索精度として、狭い（Narrow）精度の検索と広い（Wide）精度の検索とを調整可能なスライドバーである。狭い（Narrow）側に調整された場合、プロセッサ９２は、車色入力欄ＣＬ１と同一の車色を検索条件（例えば、車色）としてセット（設定）する。一方、広い（Wide）側に調整された場合、プロセッサ９２は、車色入力欄ＣＬ１に入力された車色と近いあるいは似たような車色を広範に含めて検索条件（例えば、車色）をセット（設定）する。
【００８６】
時間あいまい検索バーＢＢＲ３は、ユーザ操作により、日時の開始時刻および終了時刻の検索精度として、例えば前後３０分（つまり、−３０，−２０，−１０，−５，０，＋５，＋１０，＋２０，＋３０分）の範囲で時刻を調整可能なスライドバーである。プロセッサ９２は、入力された日時開始入力欄ＦＭ１および日時終了入力欄ＴＯ１のそれぞれに対し、ユーザ操作により−３０分側から＋３０分側までの間でいずれかの位置に個別にスライドされると、日時開始入力欄ＦＭ１および日時終了入力欄ＴＯ１に入力されたそれぞれの時刻から時間あいまい検索バーＢＢＲ３の調整バーの位置に応じて調整した上で検索条件（例えば、日時）をセット（設定）する。
【００８７】
図１１は、車両候補の検索結果画面ＷＤ２の一例を示す図である。図１２は、ユーザ操作により選択された車両候補の交差点通過時の映像の再生画面と交差点の流出入方向とを対応付けて示す映像再生ダイアログＤＬＧ１の一例を示す図である。図１３は、映像再生ダイアログＤＬＧ１に表示される地図の表示変形例を示す図である。図１４は、映像再生ダイアログＤＬＧ１に対する各種の操作例を示す説明図である。図１５は、映像再生ダイアログＤＬＧ１の再生画面内において車両候補の移動に追従して注目枠ＷＫ１が表示される例を示す説明図である。図１６は、ユーザ操作により映像再生ダイアログＤＬＧ１が閉じられる時の画面遷移例の説明図である。
【００８８】
プロセッサ９２は、車両検知アプリの中で、車両検索画面ＷＤ１における検索アイコンＣＳ１を押下するユーザ操作により、車両検索サーバ５０から車両の検索結果のデータを取得すると、車両候補（つまり、逃走車両候補）の検索結果画面ＷＤ２をディスプレイ９４に表示する。検索結果画面ＷＤ２は、検索タブＴＢ１により特定される複数の検索条件の入力欄と車両検索サーバ５０により検索された車両候補の検索結果一覧との両方が並べて表示された構成である。
【００８９】
図１１では、図８〜図１０を参照して説明した検索条件を含む車両情報要求に基づいて、車両検索サーバ５０が行った検索結果が検索条件の日時および地点を含むインデックスＩＤＸ１，ＩＤＸ２とともに一覧として示されている。具体的には、検索結果画面ＷＤ２は、クライアント端末９０のディスプレイ９４に表示される。図１１では、例えば、一画面内に４台（＝２＊２台、＊：乗算の演算子）の車両候補（つまり、逃走車両の候補）の車両サムネイル画像ＣＣＲ１，ＣＣＲ２，ＣＣＲ３，ＣＣＲ４が表示されている。ユーザ操作により、いずれかの表示枚数変更アイコンＳＦ１が押下されると、プロセッサ９２は、その押下された表示枚数変更アイコンＳＦ１に対応した表示枚数で、検索結果に対応する車両サムネイル画像を切り替えて表示する。表示枚数変更アイコンＳＦ１は、例えば、２＊２、４＊４、６＊６、８＊８の中からいずれか一つが選択可能に示されている。
【００９０】
インデックスＩＤＸ１，ＩＤＸ２は、例えば、地点および所定時間（例えば１０分）ごとに検索結果（車両サムネイル画像）を区切って表示するために使用される。このため、インデックスＩＤＸ１に対応する車両サムネイル画像ＣＣＲ１，ＣＣＲ２の車両は、同じ地点（例えば、Ａ  ｓｅｃｔｉｏｎ）であって検索条件の開始日時〜終了日時のうち同じ時間帯に検索された車両であることを示す。同様に、インデックスＩＤＸ２に対応する車両サムネイル画像ＣＣＲ３，ＣＣＲ４の車両は、同じ地点（例えば、Ｂ  ｓｅｃｔｉｏｎ）であって検索条件の開始日時〜終了日時のうち同じ時間帯に検索された車両であることを示す。
【００９１】
また、検索結果画面ＷＤ２に表示された車両サムネイル画像を閲覧したユーザが、逃走車両の可能性がある疑わしい車両と考えた場合、プロセッサ９２は、ユーザ操作により、その対応する車両サムネイル画像の近くに被疑者候補マークＭＲＫ１，ＭＲＫ２を表示する。この場合、プロセッサ９２は、その選択された車両サムネイル画像に対応付けて被疑者候補マークを付与した旨の情報を一時的に保持する。図１１の例では、車両サムネイル画像ＣＣＲ１，ＣＣＲ４の２台に被疑者候補マークＭＲＫ１，ＭＲＫ２がそれぞれ付与されたことが示されている。
【００９２】
また図１１に示すように、プロセッサ９２は、ユーザ操作により車両サムネイル画像（例えば、車両サムネイル画像ＣＣＲ１）にマウスオーバを検知すると、その車両サムネイル画像ＣＣＲ１に対応する車両が撮像された撮像映像の再生アイコンＩＣＯ１を表示する。
【００９３】
図１２には、ユーザ操作により再生アイコンＩＣＯ１が押下されたことがプロセッサ９２に検知された場合に、プロセッサ９２により表示される映像再生ダイアログＤＬＧ１が示されている。プロセッサ９２は、映像再生ダイアログＤＬＧ１を、例えば、車両サムネイル画像ＣＣＲ１〜ＣＣＲ４の表示領域に重ねて表示する。映像再生ダイアログＤＬＧ１は、再生画面ＭＯＶ１と、通過方向画面ＣＲＤＲ１とが対応付けて配置された構成である。再生画面ＭＯＶ１は、再生アイコンＩＣＯ１に対応する車両サムネイル画像ＣＣＲ１の車両がインデックスＩＤＸ１に含まれる地点（例えば、交差点）に設置されたカメラにより撮像された撮像映像の再生画面である。通過方向画面ＣＲＤＲ１は、再生画面ＭＯＶ１にて再生される撮像映像に対応する車両の道路地図ＭＰ１上に、交差点通過時の通過方向（具体的には、流入方向を示す方向ＤＲ２１および流出方向を示す方向ＤＲ２１）が重畳された画面である。なお、道路地図ＭＰ１より外側の所定位置に、交差点の名称も表示されてよい。図１２では、車両が「ＥＥＥ  Ｓｔ．＆Ｅ１６ｔｈ  Ａｖｅ」の交差点を通過する時の撮像映像と通過方向とが対応付けて示されている。
【００９４】
プロセッサ９２は、再生画面ＭＯＶ１に対する所定のユーザ操作により、一時停止アイコンＩＣＯ２、コマ戻しアイコンＩＣＯ３、コマ送りアイコンＩＣＯ４、調整バーＢＲ１および再生時間ボードＴＭＬ１を表示できる。一時停止アイコンＩＣＯ２は、撮像映像の再生中に、ユーザ操作により押下されると一時停止の実行をプロセッサ９２に指示する。コマ戻しアイコンＩＣＯ３は、撮像映像の再生中に、ユーザ操作により押下されるとコマ戻しの実行をプロセッサ９２に指示する。コマ送りアイコンＩＣＯ４は、撮像映像の再生中に、ユーザ操作により押下されるとコマ送りの実行をプロセッサ９２に指示する。プロセッサ９２は、撮像映像の再生時間全体を示す再生時間ボードＴＭＬ１に対してユーザ操作により調整バーＢＲ１が適宜スライドされると、そのスライドに合わせて撮像映像の再生タイミングを切り替えて再生する。
【００９５】
また、映像再生ダイアログＤＬＧ１にて再生された撮像映像を閲覧したユーザが、逃走車両の可能性がある疑わしい車両と考えた場合、プロセッサ９２は、ユーザ操作により、その対応する映像再生ダイアログＤＬＧ１内に被疑者候補マークＭＲＫ３を表示する。この場合、プロセッサ９２は、その映像再生ダイアログＤＬＧ１の車両サムネイル画像に対応付けて被疑者候補マークを付与した旨の情報を一時的に保持する。
【００９６】
プロセッサ９２は、映像再生ダイアログＤＬＧ１に対する所定のユーザ操作により、車両の交差点通過時の通過方向を示す通過方向画面ＣＲＤＲ２の向きを、カメラＣＭ２の撮像画角と一致するように変更して表示できる（図１３参照）。図１３に示す映像再生ダイアログＤＬＧ２では、図１２に示す映像再生ダイアログＤＬＧ１と異なり、通過方向画面ＣＲＤＲ２の向きがカメラＣＭ２の撮像画角と一致するように変更（例えば回転）されて表示されている。
【００９７】
具体的には、プロセッサ９２は、道路地図ＭＰ１のデータ中の通過方向画面ＣＲＤＲ１に表示されていた地図部分ＡＲ１を、カメラＣＭ２の撮像画角と一致するように回転し、回転後の地図部分ＡＲ１ｒｔを通過方向画面ＣＲＤＲ２に配置して表示する。これにより、ユーザは、撮像映像の再生画面ＭＯＶ１と交差点通過時の通過方向とを視覚的に対応付けてより一層認識し易くなる。
【００９８】
図１４に示すように、プロセッサ９２は、映像再生ダイアログＤＬＧ１の再生画面ＭＯＶ１上に、録画映像確認アイコンＩＣＯ５と通過方向修正アイコンＩＣＯ６とを表示できる。通過方向修正アイコンＩＣＯ６は、その押下により、通過方向画面ＣＲＤＲ２に表示された通過方向（例えば、方向ＤＲ２１）のユーザ操作による修正をプロセッサ９２に指示する。図１４の通過方向画面ＣＲＤＲ１では、ユーザ操作により、修正前の通過方向（例えば、流入方向）が方向ＤＲ２１から方向ＤＲ２２に修正され、さらに、修正前の通過方向（例えば、流出方向）が方向ＤＲ２１から方向ＤＲ２２に修正される。
【００９９】
修正後に、ユーザ操作により、キャンセルアイコンＩＣＯ７および完了アイコンＩＣＯ８のうちいずれかが押下されると、プロセッサ９２は、押下されたアイコンに対応する処理を実行する。具体的には、プロセッサ９２は、キャンセルアイコンＩＣＯ７が押下されたことを検知した場合、ユーザ操作による修正をキャンセルする。一方、プロセッサ９２は、完了アイコンＩＣＯ８が押下されたことを検知した場合、ユーザ操作による修正を反映して保存する。なお、プロセッサ９２は、通過方向修正アイコンＩＣＯ６が押下されたことを検知した場合に、キャンセルアイコンＩＣＯ７および完了アイコンＩＣＯ８のいずれかが押下されたことを検知するまで、通過方向の修正と無関係なユーザ操作の入力を受け付けないようにしてもよい。
【０１００】
また、プロセッサ９２は、完了アイコンＩＣＯ８が押下されたことを検知した場合、所定の条件に該当していないようにエラーチェックを実行し、実行結果としてエラーだった場合には、その旨のメッセージをディスプレイ９４に表示してよい。所定の条件とは、例えば、流入方向または流出方向が２方向ある、流入方向または流出方向が設定されていない等が該当する。
【０１０１】
録画映像確認アイコンＩＣＯ５は、通過方向の修正中以外のタイミングでの押下により、再生画面ＭＯＶ１において再生可能な撮像映像の再生時間幅よりも長い再生時間幅を有する撮像映像のデータの取得要求をプロセッサ９２に指示する。プロセッサ９２は、この指示に従い、該当する撮像映像のデータをビデオレコーダ７０に要求し、ビデオレコーダ７０から送られた撮像映像のデータを、通信部９３を介して受信して取得する。プロセッサ９２は、ビデオレコーダ７０から送られた撮像映像のデータを検索結果画面ＷＤ２とは異なる他の映像再生画面（図示略）を表示して再生する。
【０１０２】
映像再生ダイアログＤＬＧ１の再生画面ＭＯＶ１において再生される撮像映像の再生時間幅は、例えば、車両が該当する交差点に進入（つまり、流入）してから退出（つまり、流出）するまでの一定期間である。一方、ビデオレコーダ７０は、カメラ１０，１０ａ，…のそれぞれが撮像している間の撮像映像のデータを保存している。このため、再生画面ＭＯＶ１で再生される撮像映像の再生時間幅よりも、ビデオレコーダ７０で保存されている同じ日時かつ同じ地点の撮像映像の再生時間幅の方が断然に長い。これにより、ユーザは、映像再生ダイアログＤＬＧ１の再生画面ＭＯＶ１における再生時間以外の時間の映像を視聴できたり、他の映像再生画面（上述参照）において撮像映像を拡大や縮小等のズーム処理を行って視聴できたりする。
【０１０３】
なお、他の映像再生画面が表示されている間、プロセッサ９２は、映像再生ダイアログＤＬＧ１に対する他のユーザ操作の入力を受け付けることができ、ユーザ操作の利便性を向上できる。これは、例えば、通過方向の修正中には、プロセッサ９２は映像再生ダイアログＤＬＧ１に対する他のユーザ操作の入力を受け付けできないためである。また、プロセッサ９２は、映像再生ダイアログＤＬＧ１を閉じるためのユーザ操作を受け付けると、他の映像再生画面（上述参照）を同時に閉じてもよい。
【０１０４】
図１５に示すように、プロセッサ９２は、映像再生ダイアログＤＬＧ１の再生画面ＭＯＶ１において撮像映像の再生の際、一時停止アイコンＩＣＯ２の押下によって車両が一時停止中あるいはその再生中に現れている時だけその車両を覆う所定形状（例えば、矩形状）の注目枠ＷＫ１を重畳して表示してもよい。これにより、ユーザは、再生画面ＭＯＶ１においてターゲットとなっている車両の存在を視覚的かつ直感的に把握でき、捜査の利便性を向上できる。なお、プロセッサ９２は、コマ戻しアイコンＩＣＯ３およびコマ送りアイコンＩＣＯ４の押下により撮像映像をコマ戻しあるいはコマ送りする際に、注目枠ＷＫ１を車両の移動に追従して表示してよい。これにより、ユーザは、再生画面ＭＯＶ１においてターゲットとなっている車両の移動方向をコマ戻しあるいはコマ送りによって簡易に判別可能となる。
【０１０５】
図１６に示すように、プロセッサ９２は、映像再生ダイアログＤＬＧ１を閉じるためのユーザ操作を受け付けると、映像再生ダイアログＤＬＧ１に対応する車両サムネイル画像（例えば、車両サムネイル画像ＣＣＲ１）にその映像再生ダイアログＤＬＧ１が吸収されるようなアニメーションを付与して映像再生ダイアログＤＬＧ１を非表示する。これにより、ユーザは、不要になった映像再生ダイアログＤＬＧ１において再生されていた映像がどの車両サムネイル画像ＣＣＲ１の車両であったかが直感的に把握可能となるように吸収されるようにして閉じられる様子を楽しみながら視聴できる。
【０１０６】
図１７は、事案画面ＷＤ３の一例を示す図である。図１８は、被疑者候補マークのランク変更例を示す説明図である。図１９は、被疑者候補マークのランクによるフィルタリング例を示す説明図である。事案画面ＷＤ３は、特定の事案（Case）に関する各種の書誌的情報ＢＩＢ１と、その事案に対応する車両検索サーバ５０による車両の検索結果等を含むデータ（以下、「事案データ」という）との両方が並べて表示された構成である。事案画面ＷＤ３は、例えば事案タブＴＢ２がユーザ操作により押下されると、プロセッサ９２によって表示される。事案画面ＷＤ３において、書誌的情報ＢＩＢ１は、事案の発生日時（Case create date and time）と、事案の作成者（Case creator）と、事案の更新日時（Case update date and time）と、事案の更新者（Case updater）と、備考欄（Free space）とを含む。
【０１０７】
事案の作成日時は、例えば、車両検索画面ＷＤ１の検索条件を用いた車両の検索結果等を含む事案データが作成された日時を示し、図１７の例では「２０１８年５月２０日、午後４時５分９秒」が示されている。
【０１０８】
事案の作成者は、例えば、事案データを作成したユーザである警察官の氏名を示し、図１７の例では「Ｊｏｈｎｓｏｎ」が示されている。
【０１０９】
事案の更新日時は、例えば、一度作成された事案データが更新された日時を示し、図１７の例では「２０１８年５月２０日、午後４時１６分３２秒が示されている。
【０１１０】
事案の更新者は、例えば、一度作成された事案データの内容を更新したユーザである警察官の氏名を示し、図１７の例では「Ｍｉｌｌｅｒ」が示されている。
【０１１１】
また、事案画面ＷＤ３では、上述した書誌的情報ＢＩＢ１とともに、特定の事案に対応する車両検索サーバ５０による車両の検索結果一覧が示される。図１７の例では、合計２００台分の車両の検索結果が得られており、最初の４台分の車両の車両サムネイル画像ＳＭ１，ＳＭ２，ＳＭ３，ＳＭ４が例示的に示されている。プロセッサ９２は、５台以上の検索結果が存在する場合、ユーザのスクロール操作により画面を適宜スクロールして表示する。図１７に示される車両サムネイル画像ＳＭ１，ＳＭ２，ＳＭ３，ＳＭ４に対応するそれぞれの車両は、被疑者等の人物が乗車している車両である可能性があることを示すため、黄色のランク（後述参照）を有する被疑者候補マークＭＲＫ１７，ＭＲＫ２２，ＭＲＫ４，ＭＲＫ１５がユーザ操作によって付与されている。
【０１１２】
図１７の例では、車両サムネイル画像ＳＭ１と、その車両サムネイル画像ＳＭ１に対応する車両が道路地図ＭＰ１上でカメラＣＭ１が配置された「ＤＤＤ  ＳＴ．＆Ｅ１６ｔｈ  Ａｖｅ」の交差点を通過した時の通過方向（具体的には、流入方向を示す方向ＤＲ１２、および流出方向を示す方向ＤＲ１２）とが対応付けて表示されている。さらに、車両サムネイル画像ＳＭ１に対応する車両がカメラＣＭ１の撮像映像の解析によって検知された地点（例えば、「ＤＤＤ  ＳＴ．＆Ｅ１６ｔｈ  Ａｖｅ」の交差点）および日時（例えば、「２０１８年５月２０日  午後３時３２分４１秒」）と作成者あるいは更新者のメモ（例えば、「サングラス」）とが備忘録ＭＭ１として表示される。被疑者等の特徴を示すためにメモ欄へのデータ入力が、ユーザ操作によって可能である。
【０１１３】
同様に、車両サムネイル画像ＳＭ２と、その車両サムネイル画像ＳＭ２に対応する車両が道路地図ＭＰ１上でカメラＣＭ１が配置された「ＤＤＤ  ＳＴ．＆Ｅ１６ｔｈ  Ａｖｅ」の交差点を通過した時の通過方向（具体的には、流入方向を示す方向ＤＲ１１ｒ、および流出方向を示す方向ＤＲ１２ｒ）とが対応付けて表示されている。さらに、車両サムネイル画像ＳＭ２に対応する車両がカメラＣＭ１の撮像映像の解析によって検知された地点（例えば、「ＤＤＤ  ＳＴ．＆Ｅ１６ｔｈ  Ａｖｅ」の交差点）および日時（例えば、「２０１８年５月２０日  午後３時３３分７秒」）と作成者あるいは更新者のメモ（例えば、「サングラス」）とが備忘録ＭＭ２として表示される。
【０１１４】
同様に、車両サムネイル画像ＳＭ３と、その車両サムネイル画像ＳＭ３に対応する車両が道路地図ＭＰ１上でカメラＣＭ１が配置された「ＤＤＤ  ＳＴ．＆Ｅ１６ｔｈ  Ａｖｅ」の交差点を通過した時の通過方向（具体的には、流入方向を示す方向ＤＲ１２、および流出方向を示す方向ＤＲ１１）とが対応付けて表示されている。さらに、車両サムネイル画像ＳＭ３に対応する車両がカメラＣＭ１の撮像映像の解析によって検知された地点（例えば、「ＤＤＤ  ＳＴ．＆Ｅ１６ｔｈ  Ａｖｅ」の交差点）および日時（例えば、「２０１８年５月２０日  午後３時３３分２７秒」）と作成者あるいは更新者のメモ（例えば、「サングラス」）とが備忘録ＭＭ３として表示される。
【０１１５】
同様に、車両サムネイル画像ＳＭ４と、その車両サムネイル画像ＳＭ４に対応する車両が道路地図ＭＰ１上でカメラＣＭ１が配置された「ＤＤＤ  ＳＴ．＆Ｅ１６ｔｈ  Ａｖｅ」の交差点を通過した時の通過方向（具体的には、流入方向を示す方向ＤＲ１２ｒ、および流出方向を示す方向ＤＲ１１）とが対応付けて表示されている。さらに、車両サムネイル画像ＳＭ４に対応する車両がカメラＣＭ１の撮像映像の解析によって検知された地点（例えば、「ＤＤＤ  ＳＴ．＆Ｅ１６ｔｈ  Ａｖｅ」の交差点）および日時（例えば、「２０１８年５月２０日  午後３時３４分２秒」）と作成者あるいは更新者のメモ（例えば、「サングラス」）とが備忘録ＭＭ４として表示される。
【０１１６】
図１８に示すように、事案画面ＷＤ３の車両サムネイル画像を閲覧したユーザが、逃走車両の可能性が有るあるいは無い等の可能性を検討した場合、プロセッサ９２は、ユーザ操作により、その対応する車両サムネイル画像に付与された被疑者候補マークのランクを変更して表示できる。図１７〜図１９の例では、被疑者候補マーク「黄色」のランクは被疑者の逃走車両の候補として疑わしいことを示す。同様に、被疑者候補マーク「白色」のランクは被疑者の逃走車両の候補に当てはまらないことを示す。同様に、被疑者候補マーク「赤色」のランクは被疑者の逃走車両の候補として、被疑者候補マーク「黄色」よりもかなり疑わしいことを示す。同様に、被疑者候補マーク「黒色」のランクは被疑者の逃走車両の候補として決定的に疑わしいことを示す。
【０１１７】
図１８の例では、ユーザ操作に基づいて、プロセッサ９２により、車両サムネイル画像ＳＭ１の車両は赤色のランクを有する被疑者候補マークＭＲＫ１７ｒに変更されたことが示されている。
【０１１８】
同様に、ユーザ操作に基づいて、プロセッサ９２により、車両サムネイル画像ＳＭ３の車両は白色のランクを有する被疑者候補マークＭＲＫ４ｒに変更されたことが示されている。
【０１１９】
また、プロセッサ９２は、「Ｐｒｉｎｔ／ＰＤＦ」アイコンＩＣＯ１１および「Ｓａｖｅ」アイコンＩＣＯ１２を事案画面ＷＤ３に表示できる。「Ｐｒｉｎｔ／ＰＤＦ」アイコンＩＣＯ１１は、その押下により、現在の事案タブＴＢ２に対応する事案データを、クライアント端末９０に接続されているプリンター（図示略）に送ってプリントアウトすること、あるいは事案レポート（後述参照）の作成をプロセッサ９２に指示する。「Ｓａｖｅ」アイコンＩＣＯ１２は、その押下により、現在の事案タブＴＢ２に対応する事案データを、車両検索サーバ５０に保存することをプロセッサ９２に指示する。
【０１２０】
また、プロセッサ９２は、車両サムネイル画像の表示ウインドウ枠内に表示された×印ＩＣＯ１３がユーザ操作によって押下されたことを検知すると、その表示ウインドウ枠を事案画面ＷＤ３から非表示する。つまり、ユーザ操作によって、その車両サムネイル画像は逃走車両の可能性が無いとして事案データからも削除されることになる。
【０１２１】
また、プロセッサ９２は、ユーザ操作により、車両サムネイル画像がマウスオーバされたことを検知すると、その車両サムネイル画像が撮像されたカメラの撮像映像の再生アイコンＩＣＯ１４を表示する。これにより、ユーザは、検索結果画面ＷＤ２に表示されている車両サムネイル画像の中で気になった車両の交差点通過時の撮像映像を簡単に視聴できる。
【０１２２】
図１９に示すように、プロセッサ９２は、被疑者候補マークのランク（例えば、黄色、白色、赤色、黒色）のうち少なくとも１つがユーザ操作により選択されかつＶｉｅｗアイコンが押下されたことを検知すると、現在の事案データの中から該当する被疑者候補マーカが付与された車両サムネイル画像をフィルタリング（選別）して抽出できる。図１９には、被疑者候補マーカのランクに基づくフィルタリング用に、被疑者候補マーカのチェックボックスとＶｉｅｗアイコンとを含むフィルタリング操作表示領域ＦＩＬ１が表示されている。
【０１２３】
また、図１９に示すように、プロセッサ９２は、個別の識別番号（例えば、車両サムネイル画像の表示ウインドウに付与された識別番号）が入力されかつＶｉｅｗアイコンが押下されたことを検知すると、現在の事案データの中から該当する車両サムネイル画像をフィルタリング（選別）して抽出できる。図１９には、個別の識別番号に基づくフィルタリング用に、識別番号の入力欄とＶｉｅｗアイコンとを含むフィルタリング操作表示領域ＮＳＣ１が表示されている。
【０１２４】
次に、実施の形態１に係る車両検知システム１００の動作手順について、図２０、図２１、図２２、図２３および図２４を参照して説明する。図２０〜図２４では、主にクライアント端末９０の動作を中心に説明し、必要に応じて車両検索サーバ５０の動作を補足的に説明する。
【０１２５】
図２０は、車両サムネイル画像と地図との対応付け表示の動作手順例を示すフローチャートである。図２１は、図２０のステップＳｔ２の詳細な動作手順例を示すフローチャートである。図２２は、図２０のステップＳｔ４の詳細な動作手順例を示すフローチャートである。
【０１２６】
図２０において、クライアント端末９０のプロセッサ９２は、ユーザにより車両検知アプリの起動操作が実行されると、車両検知アプリを起動して実行し、車両検索画面ＷＤ１（例えば図８参照）をディスプレイ９４に表示する（Ｓｔ１）。プロセッサ９２は、ステップＳｔ１の後、車両検索画面ＷＤ１に対して各種の検索条件を入力するためのユーザ操作に基づいて車両情報要求を生成し、通信部９３を介して車両情報要求を車両検索サーバ５０に送って検索を実行させる（Ｓｔ２）。
【０１２７】
プロセッサ９２は、ステップＳｔ２における車両検索サーバ５０の検索により得られた車両の検索結果のデータを、通信部９３を介して受信して取得して検索結果画面ＷＤ２（例えば図１１参照）を生成して表示する。プロセッサ９２は、ユーザ操作により、その検索結果のデータを事案データとして、通信部９３を介して車両検索サーバ５０の事案ＤＢ５６ｂに保存するように送る。これにより、車両検索サーバ５０は、クライアント端末９０から送られた事案データを事案ＤＢ５６ｂに保存できる。
【０１２８】
プロセッサ９２は、その後、車両検知アプリの中で事案画面ＷＤ３を表示するためのユーザ操作の入力を受け付ける（Ｓｔ３）。プロセッサ９２は、ステップＳｔ３の後、車両検索サーバ５０の事案ＤＢ５６ｂに保存された事案データを取得し、その事案データを用いて、ステップＳｔ２の検索結果としての車両サムネイル画像とその車両サムネイル画像に対応する車両が交差点を通過する時の地図上の通過方向とを対応付けた事案画面ＷＤ３を生成して表示する（Ｓｔ４）。
【０１２９】
図２１において、プロセッサ９２は、ディスプレイ９４に表示された車両検索画面ＷＤ１に対するユーザ操作により、各種の検索条件（上述参照）の入力を受け付けてセット（設定）する（Ｓｔ２−１）。プロセッサ９２は、ステップＳｔ２−１においてセットされた検索条件を含む車両情報要求を生成し、通信部９３を介して車両検索サーバ５０に送る（Ｓｔ２−２）。
【０１３０】
車両検索サーバ５０の車両検索部５３は、クライアント端末９０から送られた車両情報要求に基づき、車両情報要求に含まれる検索条件を満たす車両を蓄積部５６の検知情報ＤＢ５６ａから検索する。車両検索部５３は、検索結果のデータ（つまり、車両情報要求に含まれる検索条件を満たす車両情報）を、車両情報要求に対する応答として、通信部５１を介してクライアント端末９０に送る。
【０１３１】
クライアント端末９０のプロセッサ９２は、車両検索サーバ５０から送られた検索結果のデータを、通信部９３を介して受信して取得する。プロセッサ９２は、その検索結果のデータを用いた検索結果画面ＷＤ２を生成してディスプレイ９４に表示する（Ｓｔ２−３）。
【０１３２】
図２２において、プロセッサ９２は、車両検索サーバ５０の事案ＤＢ５６ｂに保存された事案データを読み出すために、その事案データの取得要求を、通信部９３を介して車両検索サーバ５０に送る（Ｓｔ４−１）。車両検索サーバ５０は、クライアント端末９０から送られた取得要求に対応した事案データ（具体的には、車両サムネイル画像、地図情報、車両の流入方向および流出方向を示す情報）を事案ＤＢ５６ｂから読み出してクライアント端末９０に送る。クライアント端末９０のプロセッサ９２は、車両検索サーバ５０から送られた事案データを取得する（Ｓｔ４−２）。
【０１３３】
プロセッサ９２は、ステップＳｔ４−２において取得された該当する事案データ（つまり、車両サムネイル画像の個数分の個々の事案データ）を用いて、ステップＳｔ４−３，Ｓｔ４−４，Ｓｔ４−５からなるループ処理を個々の事案データごとに繰り返して事案画面ＷＤ３（例えば図１７参照）を生成して表示する。
【０１３４】
具体的には、登録車両（言い換えると、事案データに含まれる車両サムネイル画像に対応する個々の車両）ごとに行われるループ処理では、プロセッサ９２は、車両サムネイル画像を事案画面ＷＤ３に配置して表示し（Ｓｔ４−３）、その登録車両が交差点を通過する時の地図を事案画面ＷＤ３に配置して表示し（Ｓｔ４−４）、さらに、車両の流入方向および流出方向を示すそれぞれの方向を地図上に重ねて表示する（Ｓｔ４−５）。
【０１３５】
図２３は、車両サムネイル画像に対応する車両の動作再生の動作手順例を示すフローチャートである。図２４は、図２３のステップＳｔ１３の詳細な動作手順例を示すフローチャートである。
【０１３６】
図２３において、クライアント端末９０のプロセッサ９２は、ユーザにより車両検知アプリの起動操作が実行されると、車両検知アプリを起動して実行し、車両検索画面ＷＤ１（例えば図８参照）をディスプレイ９４に表示する（Ｓｔ１１）。プロセッサ９２は、ステップＳｔ１１の後、車両検索画面ＷＤ１に対して各種の検索条件を入力するためのユーザ操作に基づいて車両情報要求を生成し、通信部９３を介して車両情報要求を車両検索サーバ５０に送って検索を実行させる（Ｓｔ１２）。
【０１３７】
プロセッサ９２は、ステップＳｔ２における車両検索サーバ５０の検索により得られた車両の検索結果のデータを、通信部９３を介して受信して取得して検索結果画面ＷＤ２（例えば図１１参照）を生成して表示する。プロセッサ９２は、ユーザ操作により、検索結果画面ＷＤ２に表示された車両候補の車両サムネイル画像のうちいずれかの選択を受け付け、その選択された車両サムネイル画像に対応する撮像映像（動画）の再生を行う（Ｓｔ１３）。ステップＳｔ１２の詳細な動作手順は、図２１を参照して説明した内容と同一であるため、ステップＳｔ１２の説明を省略する。
【０１３８】
図２４において、プロセッサ９２は、検索結果画面ＷＤ２に表示された車両候補の車両サムネイル画像のうちいずれかの選択を受け付けると（Ｓｔ１３−１）、その選択された車両サムネイル画像に対応する車両情報の取得を要求するための車両情報要求を生成する（Ｓｔ１３−２）。プロセッサ９２は、ステップＳｔ１３−２において生成された車両情報要求を、通信部９３を介して車両検索サーバ５０に送る。
【０１３９】
車両検索サーバ５０の車両検索部５３は、クライアント端末９０から送られた車両情報要求に基づき、車両情報要求に対応する車両サムネイル画像の車両情報を蓄積部５６の検知情報ＤＢ５６ａから検索する。車両検索部５３は、検索結果のデータ（つまり、ユーザにより選択された車両サムネイル画像の車両情報）を、車両情報要求に対する応答として、通信部５１を介してクライアント端末９０に送る。
【０１４０】
クライアント端末９０のプロセッサ９２は、車両検索サーバ５０から送られた検索結果のデータを、通信部９３を介して受信して取得する。プロセッサ９２は、その検索結果のデータを取得する（Ｓｔ１３−３）。検索結果のデータは、例えば、地点情報（つまり、交差点の位置情報）、車両が撮像された撮像映像の再生開始時間、車両が撮像された撮像映像の再生終了時間、再生開始時間から再生終了時間までのカメラの撮像映像、車両の交差点の流出入方向を含む。
【０１４１】
プロセッサ９２は、ステップＳｔ１３−３において検索結果のデータを取得した後、映像再生ダイアログＤＬＧ１（図１２参照）を検索結果画面ＷＤ２に重ねて表示し、映像再生ダイアログＤＬＧ１の再生画面ＭＯＶ１において再生開始時間からカメラの撮像映像を再生開始する（Ｓｔ１３−４）。また、プロセッサ９２は、ステップＳｔ１３−３において取得された地点情報に基づく道路地図ＭＰ１を含む通過方向画面ＣＲＤＲ１を、再生画面ＭＯＶ１と対応付けて並べて表示する（Ｓｔ１３−５）。さらに、プロセッサ９２は、ステップＳｔ１３−３において取得された流出入方向を、通過方向画面ＣＲＤＲ１の該当する交差点の直前および直後のそれぞれの位置に重畳して表示する（Ｓｔ１３−６）。
【０１４２】
以上により、実施の形態１に係る車両検知システム１００は、交差点に設置されたカメラ１０，１０ａ，…と通信可能に接続された車両検索サーバ５０と、車両検索サーバ５０と通信可能に接続されたクライアント端末９０と、を含む。クライアント端末９０は、事件等が発生した日時および地点と事件等を引き起こした車両の特徴とを含む情報の入力に応じて、日時に地点の交差点を通過した車両の情報取得要求を車両検索サーバ５０に送る。車両検索サーバ５０は、情報取得要求に基づいて、日時における地点の交差点に対応するカメラの撮像映像を用いて、地点の交差点を通過した車両の車両情報および通過方向を対応付けて抽出し、その抽出結果をクライアント端末９０に送る。クライアント端末９０は、その抽出結果を用いて、地点の交差点を通過した車両の視覚特徴とその車両の通過方向とを対応付けてディスプレイ９４に表示する。
【０１４３】
これにより、ユーザは、多くの人や車両が行き交う交差点で事件等が発生した場合に、自ら使用するクライアント端末９０において逃走車両として抽出された車両候補等の視覚的な特徴ならびにその交差点を通過した時の逃走方向を同時かつ早期に把握できる。従って、車両検知システム１００は、ユーザの捜査において逃走車両の早期発見を効率的に支援できるので、警察等の捜査の利便性を的確に向上できる。
【０１４４】
また、クライアント端末９０は、車両の視覚情報として、車両の外観を示す静止画を表示する（例えば図１７参照）。これにより、ユーザは、逃走車両を捜索している際に車両の外観を示す静止画（例えば、車両サムネイル画像）を視覚的かつ直感的に把握でき、疑わしい逃走車両の有無を迅速に判別できる。
【０１４５】
また、クライアント端末９０は、カメラが設置された交差点の位置を示す道路地図ＭＰ１の情報を保持し、地点の交差点を含む所定範囲の道路地図ＭＰ１に通過方向を重畳して表示する（例えば図１７参照）。これにより、ユーザは、逃走車両を捜索している際に車両の通過した交差点の道路地図ＭＰ上の位置を車両の外観（つまり、車両サムネイル画像）と対比的に把握でき、逃走車両の疑いが持たれる車両が通過した交差点の位置を的確に把握できる。
【０１４６】
また、クライアント端末９０は、ユーザ操作により入力された地点の交差点の通過方向を含む情報（つまり、ユーザ操作により入力された検索条件）に基づいて、情報取得要求を作成する。これにより、クライアント端末９０は、ユーザ操作により入力された各種の検索条件を用いた情報取得要求を作成でき、車両検索サーバ５０に簡易に車両情報の検索を実行させることができる。
【０１４７】
また、クライアント端末９０は、ディスプレイ９４に表示された車両の視覚情報へのユーザ操作に応じて、事件等の被疑者が乗車している車両の被疑者候補マーク（候補マークの一例）をその車両近傍に表示する。これにより、ユーザは、事件等の被疑者が乗車している逃走車両の可能性がある車両サムネイル画像に被疑者候補マークを付与できるので、検索結果として得られた複数の車両サムネイル画像を見返した際に気になる車両を簡易に確認でき、捜査時の利便性が向上する。
【０１４８】
また、クライアント端末９０は、被疑者候補マークへのユーザ操作に応じて、被疑者である可能性を示す被疑者候補マークのランク（種別の一例）を切り替えて表示する。これにより、ユーザは、被疑者候補マークが付与された車両が逃走車両である可能性が高いあるいは低いとの判断の下で、被疑者候補マークのランクを便宜的に変更できるので、例えば、特に気になる車両あるいはあまり気にならない車両を識別可能な被疑者候補マークを付与でき、捜査時の利便性が向上する。
【０１４９】
また、クライアント端末９０は、ディスプレイ９４に表示された車両の視覚情報へのユーザ操作に応じて、その車両を撮像したカメラの撮像映像の再生を指示可能な再生アイコンを、車両の視覚情報に重畳して表示する（例えば図１８参照）。これにより、ユーザは、検索結果画面ＷＤ２に表示されている車両サムネイル画像の中で気になった車両の交差点通過時の撮像映像を簡単に視聴できる。
【０１５０】
また、クライアント端末９０は、ディスプレイ９４に表示された車両の視覚情報へのユーザ操作（例えば、車両サムネイル画像の表示ウインドウ枠を閉じるためのユーザ操作）に応じて、その車両の視覚特徴とその車両の通過方向との表示を非表示する。これにより、ユーザは、不要になった車両サムネイル画像の表示ウインドウ枠に表示されている車両サムネイル画像と車両の通過方向とが閉じられる様子を楽しみ、かつどの車両サムネイル画像に対応する車両の映像が再生されていたかを直感的に把握できる。
【０１５１】
また、クライアント端末９０は、地点の交差点を通過した車両の視覚特徴とその車両の通過方向と、入力された情報（例えば、検索条件）とを対応付けてディスプレイ９４に表示する。これにより、ユーザは、逃走車両の検索条件と車両の検索結果のデータとを対応付けて並べて確認できる。
【０１５２】
また、クライアント端末９０は、車両の視覚情報として、地点の交差点に設置されたカメラの撮像映像の再生画面ＭＯＶ１を含む映像再生ダイアログＤＬＧ１をディスプレイ９４に表示する。これにより、ユーザは、逃走車両を捜索している際に車両の移動中の様子を示す撮像映像を簡単に視聴できるので、疑わしい逃走車両であるかどうかを迅速に判別できる。
【０１５３】
また、クライアント端末９０は、カメラが設置された交差点の位置を示す道路地図ＭＰ１の情報を保持し、地点の交差点を含む所定範囲の道路地図ＭＰ１に通過方向を重畳して表示した画面（例えば、通過方向画面ＣＤＲＤ１）を映像再生ダイアログＤＬＧ１に含めて表示する。これにより、ユーザは、逃走車両を捜索している際に車両の通過した交差点の道路地図ＭＰ上の位置を車両の動画と対比的に把握でき、逃走車両の疑いが持たれる車両が通過した交差点の位置を的確に把握できる。
【０１５４】
また、クライアント端末９０は、車両が交差点に進入（流入）してから退出（流出）するまでの所定期間分の映像を再生画面ＭＯＶ１において表示再生する。これにより、ユーザは、映像再生ダイアログＤＬＧ１の再生画面ＭＯＶ１において、気になる車両が交差点通過時の様子を視聴でき、捜査時の利便性が向上する。
【０１５５】
また、クライアント端末９０は、道路地図ＭＰ１へのユーザ操作に応じて、カメラの撮像画角の方向と一致するように道路地図ＭＰ１を回転して表示する。これにより、ユーザは、撮像映像の再生画面ＭＯＶ１と交差点通過時の通過方向とを視覚的に対応付けてより一層認識し易くなる。
【０１５６】
また、クライアント端末９０は、映像再生ダイアログＤＬＧ１へのユーザ操作に応じて、事件等の被疑者が乗車している車両の被疑者候補マークを再生画面ＭＯＶ１の近傍に表示する。これにより、ユーザは、事件等の被疑者が乗車している逃走車両の可能性がある車両サムネイル画像に対応する車両の撮像映像の再生画面ＭＯＶ１の近くに被疑者候補マークを付与できるので、撮像映像を視聴したユーザが気になった車両である印を簡易に付与でき、捜査時の利便性が向上する。
【０１５７】
また、クライアント端末９０は、映像再生ダイアログＤＬＧ１へのユーザ操作に応じて、車両の通過方向を変更して表示する。これにより、ユーザは、再生画面ＭＯＶ１で再生された撮像映像を視聴したユーザが実際の車両の進行方向と異なっていること等を発見した場合に、例えば車両検索サーバ５０の映像解析で誤って認識されても簡単に車両の通過方向を修正できる。
【０１５８】
また、クライアント端末９０は、カメラの撮像映像を記録するビデオレコーダ７０と通信可能に接続され、映像再生ダイアログＤＬＧ１へのユーザ操作に応じて、カメラの撮像映像をビデオレコーダ７０から取得して映像再生ダイアログＤＬＧ１と異なる他の映像再生画面を表示再生する。これにより、ユーザは、映像再生ダイアログＤＬＧ１の再生画面ＭＯＶ１における再生時間以外の時間の映像を視聴できたり、他の映像再生画面において撮像映像を拡大や縮小等のズーム処理を行って視聴できたりする。
【０１５９】
また、クライアント端末９０は、映像再生ダイアログＤＬＧ１を非表示するユーザ操作に応じて、他の映像再生画面を非表示する。これにより、ユーザは、他の映像再生画面を非表示するための操作を行わなくても、映像再生ダイアログＤＬＧ１を非表示する（つまり、閉じる）操作を行うだけで他の映像再生画面を非表示できるので、操作時の利便性が向上する。
【０１６０】
また、クライアント端末９０は、車両が交差点に進入（流入）してから退出（流出）するまで車両に所定形状の注目枠（枠の一例）を重畳表示する。これにより、ユーザは、再生画面ＭＯＶ１においてターゲットとなっている車両の存在を視覚的かつ直感的に把握でき、捜査の利便性を向上できる。
【０１６１】
（実施の形態１の変形例に至る経緯）
上述した特許文献１では、車両の走行経路（例えば、多くの人や車両が行き交う交差点）において事件等が発生した場合、その事件等を引き起こした車両等の逃走方向と当時の車両等の撮像画像とを対応付けたレポートを出力することは考慮されていない。このようなレポートは警察の捜査の際に都度作成されてデータとしても記録されるので、検証の際に役立つと考えられている。
【０１６２】
そこで、以下の実施の形態１の変形例では、多くの人や車両が行き交う交差点で事件等が発生した場合に、逃走車両等の撮像画像と交差点通過時の逃走方向とを対応付けたレポートを作成し、警察等の捜査の利便性を的確に向上する車両等検知システムおよび車両等検知方法の例を説明する。
【０１６３】
（実施の形態１の変形例）
実施の形態１の変形例に係る車両検知システム１００の構成は、実施の形態１に係る車両検知システム１００の構成と同一であり、同一の構成の説明は同一の符号を付与して簡略化あるいは省略し、異なる内容について説明する。
【０１６４】
図２５は、事案レポートの作成の前提となる車両の逃走シナリオ例を示す説明図である。図２６は、事案レポートの第１例を示す図である。図２７は、事案レポートの第２例を示す図である。図２８は、事案レポートの第３例を示す図である。
【０１６５】
図２５には、図２６，図２７，図２８にそれぞれ示される事案レポートＲＰＴ１，ＲＰＴ２，ＲＰＴ３の作成の前提となる車両の逃走シナリオが道路地図ＭＰ１上に示されており、事件等の目撃者からの通報情報は、午後３時３０分から午後４時００分までの時間帯であって、かつ車両はグレーのセダンである。
【０１６６】
事件等を引き起こした被疑者等の人物が乗車している車両（つまり、逃走車両）は、カメラＣＭ１５が設置された「ＡＡＡ  Ｓｔ．＆Ｅ１６ｔｈ  Ａｖｅ」の交差点が面する道路「ＡＡＡ  Ｓｔ．」を方向ＤＲ６１に沿って北上し、カメラＣＭ１１が設置された「ＡＡＡ  Ｓｔ．＆Ｅ１７ｔｈ  Ａｖｅ」の交差点を右折して通過し、方向ＤＲ６２に沿って東に向かう。なお、カメラＣＭ１１，ＣＭ１２，ＣＭ１３，ＣＭ１４，ＣＭ１５の内部構成は、カメラＣＭ１〜ＣＭ５と同様に、図２に示すカメラ１０，１０ａ，…の内部構成と同一である。
【０１６７】
その後、車両は、カメラＣＭ１２が設置された「ＢＢＢ  Ｓｔ．＆Ｅ１７ｔｈ  Ａｖｅ」の交差点を直進して通過し、方向ＤＲ６２に沿って東に向かう。
【０１６８】
その後、車両は、カメラＣＭ１３が設置された「ＣＣＣ  Ｓｔ．＆Ｅ１７ｔｈ  Ａｖｅ」の交差点を左折して通過し、方向ＤＲ６１に沿って北に向かう。
【０１６９】
その後、車両は、カメラＣＭ１４が設置された「ＣＣＣ  Ｓｔ．＆Ｅ１９ｔｈ  Ａｖｅ」の交差点に進入（流入）する。
【０１７０】
図２６に示す事案レポートＲＰＴ１は、図１８に示す事案画面ＷＤ３の「Ｐｒｉｎｔ／ＰＤＦ」アイコンＩＣＯ１１がユーザ操作により押下されたことがプロセッサ９２に検知されると、プロセッサ９２により作成されてディスプレイ９４に表示される。事案レポートＲＰＴ１は、特定の事案（Case）の書誌的情報ＢＩＢ１１，ＢＩＢ１２と、事案画面ＷＤ３に表示されていた車両サムネイル画像および道路地図ＭＰ１上に重畳された交差点通過時の車両の通過方向の組み合わせとが並べられた構成である。
【０１７１】
書誌的情報ＢＩＢ１１は、事案レポートＲＰＴ１がプリントアウトされた日時（例えば、２０１８年５月２２日  午後４時１７分１４秒）と、ユーザ名（例えば、Ｍｉｌｌｅｒ）とを含む。ユーザ名は、車両検知アプリのユーザの氏名を示す。
【０１７２】
書誌的情報ＢＩＢ１２は、事案（Case）のタイトルと、事案の発生日時（Case create date and time）と、事案の作成者（Case creator）と、事案の更新日時（Case update date and time）と、事案の更新者（Case updater）と、備考欄（Free space）と、キャプション（Legend）とを含む。
【０１７３】
事案のタイトルは、例えば、事案レポートのタイトルを示し、図２６の例では「Ｔｈｅｆｔ  ｉｎ  Ｔｏｋｙｏ」が示されている。
【０１７４】
事案の作成日時は、例えば、車両検索画面ＷＤ１の検索条件を用いた車両の検索結果等を含む事案レポートＲＰＴ１に係る事案データが作成された日時を示し、図２６の例では「２０１８年５月２０日、午後４時５分９秒」が示されている。
【０１７５】
事案の作成者は、例えば、事案データを作成したユーザである警察官の氏名を示し、図２６の例では「Ｊｏｈｎｓｏｎ」が示されている。
【０１７６】
事案の更新日時は、例えば、一度作成された事案データが更新された日時を示し、図２６の例では「２０１８年５月２０日、午後４時１６分３２秒が示されている。
【０１７７】
事案の更新者は、例えば、一度作成された事案データの内容を更新したユーザである警察官の氏名を示し、図２６の例では「Ｍｉｌｌｅｒ」が示されている。
【０１７８】
備考欄には、ユーザが捜査に関する情報として得た情報が入力され、例えば、目撃者（Witness）（例えば「Ｂｒｏｗｎ」）、目撃者位置（Witness location）（例えば「ＡＡＡ  Ｓｔ．」）、逃走手段（Means of escape）（例えば「グレーのセダンの車両」）、時間（Time）（例えばだいたい午後３時００分）が入力されている。
【０１７９】
キャプションには、被疑者候補マークのランク（例えば、色）の説明が記載されている。黄色の被疑者候補マークは、被疑者の逃走車両の候補として疑わしいことを示す。白色の被疑者候補マークは、被疑者の逃走車両の候補に当てはまらないことを示す。赤色の被疑者候補マークは、被疑者の逃走車両の候補として、黄色の被疑者候補マークが示す可能性よりもかなり疑わしいことを示す。黒色の被疑者候補マークは、被疑者の逃走車両の候補として決定的に疑わしいことを示す。
【０１８０】
また、事案レポートＲＰＴ１には、合計２８台の車両候補のそれぞれについて、車両サムネイル画像（例えば、車両サムネイル画像ＳＭ１，ＳＭ４，…）と、道路地図ＭＰ１上に重畳された交差点通過時の車両の通過方向とが組み合わせて示されている。被疑者候補マーク（例えば、被疑者候補マークＭＲＫ１７，ＭＲＫ１５）が付与されている場合には、対応する車両サムネイル画像の近くに表示される。
【０１８１】
例えば車両サムネイル画像ＳＭ１の車両は、カメラＣＭ１５が設置された「ＡＡＡ  Ｓｔ．＆Ｅ１６ｔｈ  Ａｖｅ」の交差点を２０１８年５月２０日の午後３時３２分４１秒に方向ＤＲ６１で流入して方向ＤＲ６１のままで流出して通過したことが示されている。つまり、車両サムネイル画像ＳＭ１の車両が交差点を通過した日時および地点の交差点に関する書誌的情報ＭＭ１ｘが、車両サムネイル画像ＳＭ１および交差点通過時の通過方向と対応付けて示される。
【０１８２】
例えば車両サムネイル画像ＳＭ４の車両は、カメラＣＭ１５が設置された「ＡＡＡ  Ｓｔ．＆Ｅ１６ｔｈ  Ａｖｅ」の交差点を２０１８年５月２０日の午後３時３４分２秒に方向ＤＲ１２ｒで流入して方向ＤＲ１１で流出して通過したことが示されている。つまり、車両サムネイル画像ＳＭ４の車両が交差点を通過した日時および地点の交差点に関する書誌的情報ＭＭ４ｘが、車両サムネイル画像ＳＭ４および交差点通過時の通過方向と対応付けて示される。
【０１８３】
図２７に示す事案レポートＲＰＴ２は、図１８に示す事案画面ＷＤ３の「Ｐｒｉｎｔ／ＰＤＦ」アイコンＩＣＯ１１がユーザ操作により押下されたことがプロセッサ９２に検知されると、プロセッサ９２により作成されてディスプレイ９４に表示される。事案レポートＲＰＴ２は、特定の事案（Case）の書誌的情報ＢＩＢ１１，ＢＩＢ１２と、事案画面ＷＤ３に表示されていた車両サムネイル画像および道路地図ＭＰ１上に重畳された交差点通過時の車両の通過方向の組み合わせとが並べられた構成である。図２７，図２８の事案レポートＲＰＴ２，ＲＰＴ３の説明において、図２６の事案レポートＲＰＴ１の要素と同一の要素については同一の符号を付与して説明を簡略化あるいは省略し、異なる内容について説明する。
【０１８４】
図２７の事案レポートＲＰＴ２において、書誌的情報ＢＩＢ１１は、事案レポートＲＰＴ２がプリントアウトされた日時（例えば、２０１８年５月２２日  午後４時３１分９秒）と、ユーザ名（例えば、Ａｎｄｅｒｓｏｎ）とを含む。
【０１８５】
事案の更新日時は、例えば、一度作成された事案データが更新された日時を示し、図２７の例では「２０１８年５月２０日、午後４時３０分１４秒が示されている。
【０１８６】
事案の更新者は、例えば、一度作成された事案データの内容を更新したユーザである警察官の氏名を示し、図２７の例では「Ａｎｄｅｒｓｏｎ」が示されている。
【０１８７】
備考欄には、ユーザが捜査に関する情報として得た情報が入力され、図２６に示す備考欄の内容に加え、さらに、目撃者（例えば「Ｄａｖｉｓ」）、逃走車両のドライバーに関する情報（例えば「サングラスとマスクを着用」）が入力されている。
【０１８８】
図２７の例では、車両サムネイル画像ＳＭ１の車両の被疑者候補マークは、赤色の被疑者候補マークＭＲＫ１７ｒに変更されている。これは、事案レポートＲＰＴ２が作成される前に、ユーザ操作により、車両サムネイル画像ＳＭ１の車両の被疑者候補マークのランクが黄色から赤色に変更されたためである。また、警察官「Ａｎｄｅｒｓｏｎ」の操作により、図２７に示す事案レポートＲＰＴ２における書誌的情報ＭＭ１ｘの内容は、図２６に示す書誌的情報ＭＭ１ｘの内容に比べ、書誌的情報ＢＩＢ１２の備考欄に記載された「サングラス」の内容が追加されている。「サングラス」は、例えば逃走車両に乗車している犯人等の手がかりとなる特徴的な要素を示している。
【０１８９】
例えば車両サムネイル画像ＳＭ３の車両は、カメラＣＭ５が設置された「ＡＡＡ  Ｓｔ．＆Ｅ１６ｔｈ  Ａｖｅ」の交差点を２０１８年５月２０日の午後３時３３分２７秒に方向ＤＲ６１で流入して方向ＤＲ１１で流出して通過したことが示されている。つまり、車両サムネイル画像ＳＭ３の車両が交差点を通過した日時および地点の交差点に関する書誌的情報ＭＭ３ｘが、車両サムネイル画像ＳＭ３および交差点通過時の通過方向と対応付けて示される。
【０１９０】
また、図２７の例では、車両サムネイル画像ＳＭ３の車両の被疑者候補マークは、赤色の被疑者候補マークＭＲＫ４ｒに変更されている。これは、事案レポートＲＰＴ２が作成される前に、ユーザ操作により、車両サムネイル画像ＳＭ３の車両の被疑者候補マークのランクが黄色から赤色に変更されたためである。
【０１９１】
図２８に示す事案レポートＲＰＴ３は、図１８に示す事案画面ＷＤ３の「Ｐｒｉｎｔ／ＰＤＦ」アイコンＩＣＯ１１がユーザ操作により押下されたことがプロセッサ９２に検知されると、プロセッサ９２により作成されてディスプレイ９４に表示される。事案レポートＲＰＴ３は、特定の事案（Case）の書誌的情報ＢＩＢ１１，ＢＩＢ１２と、事案画面ＷＤ３に表示されていた車両サムネイル画像および道路地図ＭＰ１上に重畳された交差点通過時の車両の通過方向の組み合わせとが並べられた構成である。
【０１９２】
事案レポートＲＰＴ３は、事案レポートＲＰＴ１あるいは事案レポートＲＰＴ２の内容からユーザによって逃走車両の候補がさらに絞り込まれ、被疑者候補マークが最も疑わしいことを示すランク（例えば黒色）が付与された車両サムネイル画像と、その車両サムネイル画像の車両に対応する交差点通過時の通過方向とが対応付けられる。図２８の例では、車両サムネイル画像の識別番号がそれぞれ「４」、「１」、「２０」、「３」、「２１」と異なっているが、これらは全て同一の車両を示している。これにより、事案レポートＲＰＴ３によれば、ユーザは、逃走車両の逃走経路（図２５参照）を明確に把握できる。
【０１９３】
図２８の事案レポートＲＰＴ３において、書誌的情報ＢＩＢ１１は、事案レポートＲＰＴ３がプリントアウトされた日時（例えば、２０１８年５月２２日  午後４時４２分２３秒）と、ユーザ名（例えば、Ｗｉｌｓｏｎ）とを含む。
【０１９４】
事案の作成日時は、例えば、車両検索画面ＷＤ１の検索条件を用いた車両の検索結果等を含む事案レポートＲＰＴ３に係る事案データが作成された日時を示し、図２８の例では「２０１８年５月２０日、午後２時００分００秒」が示されている。
【０１９５】
事案の更新日時は、例えば、一度作成された事案データが更新された日時を示し、図２８の例では「２０１８年５月２０日、午後４時４０分５１秒が示されている。
【０１９６】
事案の更新者は、例えば、一度作成された事案データの内容を更新したユーザである警察官の氏名を示し、図２７の例では「Ｗｉｌｓｏｎ」が示されている。
【０１９７】
備考欄には、ユーザが捜査に関する情報として得た情報が入力され、図２７に示す備考欄の内容に加え、さらに、目撃者（例えば「Ｗｉｌｌｉａｍｓ」）、逃走車両の逃走方向に関する情報（例えば「Ｅ１７ｔｈ  Ａｖｅ」）が入力されている。
【０１９８】
図２８の例では、車両サムネイル画像ＳＭ３の車両の被疑者候補マークは、黒色の被疑者候補マークＭＲＫ４ｂに変更されている。これは、事案レポートＲＰＴ３が作成される前に、ユーザ操作により、車両サムネイル画像ＳＭ３の車両の被疑者候補マークのランクが赤色（図２７参照）から黒色に変更されたためである。また、図２８の例では、作成者あるいは更新者のメモＦＭＭ１が交差点の通過時刻の表示領域の下部に表示される。メモＦＭＭ１は、ユーザ「Ｔｈｏｍａｓ」により目撃者「Ｄａｖｉｓ」の目撃証言により逃走車両に似た車両が「Ｅ１７ｔｈ  Ａｖｅ」を通過したことを示している。
【０１９９】
また上述したように、図２８の例では、車両サムネイル画像の識別番号「１」，「２０」，「３」，「２１」のそれぞれの車両（同一の車両）の被疑者候補マークは、それぞれ黒色の被疑者候補マークＭＲＫ１ｂ，ＭＲＫ２０ｂ，ＭＲＫ３ｂ，ＭＲＫ２１ｂに変更されている。これは、事案レポートＲＰＴ３が作成される前に、逃走車両であると決定的に疑わしいと判断したユーザの操作により、それぞれ対応する車両サムネイル画像の車両の被疑者候補マークのランクが黄色あるいは赤色から黒色に変更されたためである。
【０２００】
次に、実施の形態１の変形例に係る車両検知システム１００の動作手順について、図２９および図３０を参照して説明する。図２９および図３０では、主にクライアント端末９０の動作を中心に説明し、必要に応じて車両検索サーバ５０の動作を補足的に説明する。
【０２０１】
図２９は、捜査の初動から事案レポートの出力までの動作手順例を示すフローチャートである。図３０は、図２９のステップＳｔ２６の詳細な動作手順例を示すフローチャートである。図２９のフローチャートは、警察の捜査中である限り、ループ処理として繰り返して実行される。
【０２０２】
図２９において、クライアント端末９０のプロセッサ９２は、ユーザにより車両検知アプリの起動操作が実行されると、車両検知アプリを起動して実行し、事案画面ＷＤ３を開くためのユーザ操作により、事案画面ＷＤ３（例えば図１７参照）をディスプレイ９４に表示する（Ｓｔ２１）。ここで、目撃者等の通報者からの通報（例えば電話）により捜査に関わる有力な情報（例えば被疑者の乗車する逃走車両に関する情報）が入手された場合、プロセッサ９２は、事案画面ＷＤ３に表示されている車両サムネイル画像の一覧の中で、有力な情報に合致する車両サムネイル画像に付与された被疑者候補マークのランクをユーザ操作に基づいて変更する（Ｓｔ２２）。
【０２０３】
プロセッサ９２は、ステップＳｔ２２の後、変更後の被疑者候補マークのランクに関する情報を更新するため、通信部９３を介して車両検索サーバ５０に送る（Ｓｔ２３）。車両検索サーバ５０は、クライアント端末９０から送られた被疑者候補マークのランクに関する情報を受信して取得し、車両サムネイル画像に対応付けて被疑者候補マークのランクを変更（更新）して事案ＤＢ５６ｂに保存する。
【０２０４】
一方、既に作成された事案画面ＷＤ３に表示されている車両サムネイル画像の中で事件等に関係ない車両に関する情報が得られた場合には、プロセッサ９２は、その無関係な車両に対応する車両サムネイル画像を、ユーザ操作に基づいて削除（具体的には、事案画面ＷＤ３から非表示）する（Ｓｔ２４）。
【０２０５】
プロセッサ９２は、ステップＳｔ２４の後、無関係な車両サムネイル画像を削除したことを更新するため、無関係な車両サムネイル画像に関する情報を、通信部９３を介して車両検索サーバ５０に送る（Ｓｔ２５）。車両検索サーバ５０は、クライアント端末９０から送られた無関係な車両サムネイル画像に関する情報を受信して取得し、その車両サムネイル画像の情報を事案ＤＢ５６ｂから削除する。
【０２０６】
プロセッサ９２は、ステップＳｔ２４あるいはステップＳｔ２５の後、ユーザ操作により、事案レポートを作成して出力する（Ｓｔ２６）。この出力形態は、例えば、クライアント端末９０に接続されているプリンター（図示略）に事案レポートのデータを送りそのプリンターからプリントアウトされる形態に限定されず、事案レポート（例えば図２６〜図２８参照）のデータ（例えば、ＰＤＦ形式のデータ）を作成する形態であってもよい。
【０２０７】
図３０において、プロセッサ９２は、ユーザ操作により事案レポートの出力の指示を受けると、現在事案画面ＷＤ３に表示されている車両サムネイル画像を含む車両情報の要求を作成し、通信部９３を介して車両検索サーバ５０に送る（Ｓｔ２６−１）。
【０２０８】
車両検索サーバ５０は、ステップＳｔ２６−１においてクライアント端末９０から送られた要求に基づいて、該当する車両情報を事案ＤＢ５６ｂから読み出して取得する。ここで、車両情報は、例えば事案に関する書誌的情報ＢＩＢ１１，ＢＩＢ１２（図２６〜２８参照）を含む事案情報、車両サムネイル画像、被疑者候補マークのランクの情報、地図情報、流出入方向の情報、地点名の情報、交差点の通過時刻の情報およびユーザにより都度入力された様々なメモの情報が含まれる。車両検索サーバ５０は、これらの車両情報を、通信部５１を介してクライアント端末９０に送る。
【０２０９】
クライアント端末９０のプロセッサ９２は、車両検索サーバ５０から送られた車両情報を、通信部９３を介して受信して取得する（Ｓｔ２６−２）。プロセッサ９２は、ステップＳｔ２６−２の後、事案レポートのデータを作成するための一時データファイルを作成し（Ｓｔ２６−３）、その一時データファイルの所定のレイアウト上の既定位置に、車両情報に含まれる事案情報を配置する（Ｓｔ２６−４）。
【０２１０】
また、プロセッサ９２は、車両情報に含まれる個々の車両サムネイル画像ごとに、ステップＳｔ２６−５，Ｓｔ２６−６，Ｓｔ２６−７の処理を繰り返して実行する。具体的には、プロセッサ９２は、個々の車両サムネイル画像ごとに、一時データファイルの所定のレイアウト上の既定位置に、車両サムネイル画像、道路地図ＭＰ１、被疑者候補マークを配置する（Ｓｔ２６−５）。続けて、プロセッサ９２は、個々の車両サムネイル画像ごとに、一時データファイルの所定のレイアウト上の既定位置に、流出入方向の矢印（方向）を道路地図ＭＰ１上に重畳して配置する（Ｓｔ２６−６）。さらに、プロセッサ９２は、個々の車両サムネイル画像ごとに、一時データファイルの所定のレイアウト上の既定位置に、地点名、通過時刻およびメモの各情報を配置する（Ｓｔ２６−７）。
【０２１１】
プロセッサ９２は、ステップＳｔ２６−５〜Ｓｔ２６−７の処理を個々の車両サムネイル画像ごとに実行した後、その一時データファイルを事案レポートとして出力する（Ｓｔ２６−８）。これにより、プロセッサ９２は、ユーザ操作に基づく事案レポートの作成および出力を実行できる。
【０２１２】
以上により、実施の形態１の変形例１に係る車両検知システム１００は、交差点に設置されたカメラ１０，１０ａ，…と通信可能に接続された車両検索サーバ５０と、車両検索サーバ５０と通信可能に接続されたクライアント端末９０と、を含む。クライアント端末９０は、事件等が発生した日時および地点と事件等を引き起こした車両の特徴とを含む情報の入力に応じて、日時に地点の交差点を通過した車両の情報取得要求を車両検索サーバ５０に送る。車両検索サーバ５０は、情報取得要求に基づいて、日時における地点の交差点に対応するカメラの撮像映像を用いて、地点の交差点を通過した複数台の車両の車両情報および通過方向を対応付けて抽出し、その抽出結果をクライアント端末９０に送る。クライアント端末９０は、抽出結果と入力された情報とを含む事案レポート（車両候補レポートの一例）を作成して出力する。
【０２１３】
これにより、ユーザは、多くの人や車両が行き交う交差点で事件等が発生した場合に、自ら使用するクライアント端末９０において逃走車両として抽出された車両候補等の撮像画像と交差点通過時の逃走方向とを対応付けた事案レポートを作成できる。従って、車両検知システム１００は、ユーザの捜査において逃走車両の抽出等に係る各種作業を記録できるので、警察等の捜査の利便性を的確に向上できる。
【０２１４】
また、クライアント端末９０は、抽出結果を用いて、地点の交差点を通過した複数台の車両の視覚特徴とそれぞれの車両の通過方向とを対応付けてディスプレイ９４に表示する。これにより、ユーザは、逃走車両として抽出された車両候補等の視覚的な特徴ならびにその交差点を通過した時の逃走方向を同時かつ早期に把握できる。
【０２１５】
また、クライアント端末９０は、複数台の車両の視覚情報として、それぞれの車両の外観を示す静止画を表示する。これにより、ユーザは、逃走車両を捜索している際に車両の外観を示す静止画（例えば、車両サムネイル画像）を視覚的かつ直感的に把握でき、疑わしい逃走車両の有無を迅速に判別できる。
【０２１６】
また、クライアント端末９０は、カメラが設置された交差点の位置を示す道路地図ＭＰ１の情報を保持し、地点の交差点を含む所定範囲の道路地図に通過方向を重畳して表示する。これにより、ユーザは、逃走車両を捜索している際に車両の通過した交差点の道路地図ＭＰ上の位置を車両の外観（つまり、車両サムネイル画像）と対比的に把握でき、逃走車両の疑いが持たれる車両が通過した交差点の位置を的確に把握できる。
【０２１７】
また、クライアント端末９０は、ディスプレイ９４に表示された車両の視覚情報へのユーザ操作に応じて、事件等の被疑者が乗車している車両の被疑者候補マークをその車両近傍に表示する。これにより、事件等の被疑者が乗車している逃走車両の可能性がある車両サムネイル画像に被疑者候補マークを付与できるので、検索結果として得られた複数の車両サムネイル画像を見返した際に気になる車両を簡易に確認でき、捜査時の利便性が向上する。
【０２１８】
また、クライアント端末９０は、被疑者候補マークへのユーザ操作に応じて、被疑者である可能性を示す被疑者候補マークの種別を切り替えて表示する。これにより、被疑者候補マークが付与された車両が逃走車両である可能性が高いあるいは低いとの判断の下で、被疑者候補マークのランクを便宜的に変更できるので、例えば、特に気になる車両あるいはあまり気にならない車両を識別可能な被疑者候補マークを付与でき、捜査時の利便性が向上する。
【０２１９】
また、クライアント端末９０は、事案レポート（車両候補レポートの一例）の作成アイコンへのユーザ操作に応じて、同一の種別を有する被疑者候補マークが設定された少なくとも１台の車両に絞り込んだ事案レポートを作成する。これにより、ユーザは、逃走車両の可能性として同じように疑わしい車両候補の一覧を纏めた事案レポートを作成できるので、捜査時の利便性が向上する。
【０２２０】
また、クライアント端末９０は、ディスプレイ９４に表示された少なくとも１台の車両の視覚情報へのユーザ操作に応じて、その車両の視覚特徴とその車両の通過方向との表示を非表示し、その非表示された車両以外の残りの車両に絞り込んだ車両候補レポートを作成する。これにより、ユーザは、例えば事件等の事案に無関係な車両の情報を入手できた場合に、事案に無関係な車両サムネイル画像および通過方向を事案画面ＷＤ３から非表示（つまり、削除）してフィルタリングすることで、捜査の品質を的確に改善でき、事案レポートの完成度および信頼性を向上できる。
【０２２１】
以上、図面を参照しながら各種の実施の形態について説明したが、本開示はかかる例に限定されないことは言うまでもない。当業者であれば、特許請求の範囲に記載された範疇内において、各種の変更例、修正例、置換例、付加例、削除例、均等例に想到し得ることは明らかであり、それらについても当然に本開示の技術的範囲に属するものと了解される。また、発明の趣旨を逸脱しない範囲において、上述した各種の実施の形態における各構成要素を任意に組み合わせてもよい。
【０２２２】
なお、上述した実施の形態１ならびにその変形例では、カメラ１０，１０ａ，…の撮像映像における検知対象物が車両であることを例示したが、検知対象物は車両に限定されず、その他の物体（例えば、車両等の移動体）でもよい。その他の物体は、例えば、事件等を引き起こした被疑者等の人物により操作されるドローン等の飛行物体でもよい。つまり、実施の形態に係る車両等検知システムは、車両あるいはその他対象物（つまり、検知対象物）の検知を支援する捜査支援システムとも言える。
【産業上の利用可能性】
【０２２３】
本開示は、多くの人や車両が行き交う交差点で事件等が発生した場合に、逃走車両等の視覚的な特徴ならびに逃走方向の早期把握を効率的に支援し、警察等の捜査の利便性を的確に向上する車両等検知システムおよび車両等検知方法として有用である。
【符号の説明】
【０２２４】
１０、１０ａ  カメラ
１１ａ、１１ｂ、１１ｃ、１１ｄ  撮影部
１２Ｐ、ＰＲＣ１、ＰＲＣ２、９２  プロセッサ
１３、５２、７２、９５  メモリ
１４、５１、７１、９３  通信部
１５、９６  記録部
５０  車両検索サーバ
５３  車両検索部
５４  車両解析部
５５  タグ付与部
５６  蓄積部
５６ａ  検知情報ＤＢ
５６ｂ  事案ＤＢ
７０  ビデオレコーダ
７３  映像検索部
７４  映像記録処理部
７５  映像蓄積部
９０  クライアント端末
９１  操作部
９４  ディスプレイ
１００  車両検知システム
ＨＤＳ  ヘッドセット
【図１】
2020028017.tif 000003
【図２】
2020028017.tif 000004
【図３】
2020028017.tif 000005
【図４】
2020028017.tif 000006
【図５】
2020028017.tif 000007
【図６】
2020028017.tif 000008
【図７】
2020028017.tif 000009
【図８】
2020028017.tif 000010
【図９】
2020028017.tif 000011
【図１０】
2020028017.tif 000012
【図１１】
2020028017.tif 000013
【図１２】
2020028017.tif 000014
【図１３】
2020028017.tif 000015
【図１４】
2020028017.tif 000016
【図１５】
2020028017.tif 000017
【図１６】
2020028017.tif 000018
【図１７】
2020028017.tif 000019
【図１８】
2020028017.tif 000020
【図１９】
2020028017.tif 000021
【図２０】
2020028017.tif 000022
【図２１】
2020028017.tif 000023
【図２２】
2020028017.tif 000024
【図２３】
2020028017.tif 000025
【図２４】
2020028017.tif 000026
【図２５】
2020028017.tif 000027
【図２６】
2020028017.tif 000028
【図２７】
2020028017.tif 000029
【図２８】
2020028017.tif 000030
【図２９】
2020028017.tif 000031
【図３０】
2020028017.tif 000032